(57)【特許請求の範囲】
【請求項１】
マシンタイプ通信（ＭＴＣ）のために構成された帯域幅限定ユーザ機器（帯域幅限定ＵＥ）の装置であって、前記装置は、処理回路とメモリとを備え、
前記処理回路は、
ベースステーション（ＢＳ）から受信したシグナリングから、前記帯域幅限定ＵＥに向けられたＭＴＣ物理ダウンリンク制御チャネル（ＭＰＤＣＣＨ）をデコードする段階であって、前記ＭＰＤＣＣＨは、前記帯域幅限定ＵＥに対する物理ダウンリンク共有チャネル（ＰＤＳＣＨ）サブフレーム割り当てを示すダウンリンク制御情報（ＤＣＩ）を有する、段階と、
前記ＭＰＤＣＣＨの前記ＤＣＩに従って第１のサブフレームにおいて前記ＰＤＳＣＨをデコードする段階であって、前記ＰＤＳＣＨは、前記ＭＰＤＣＣＨが受信される最後のサブフレームの後の予め定められた数のサブフレームにおいて受信され、前記ＭＰＤＣＣＨが送信される最初のサブフレームのための開始シンボルが前記ＢＳによって構成される、段階と、を実行し、
前記メモリは、少なくとも前記ＤＣＩを格納する
装置。
【請求項２】
前記第１のサブフレームにおける前記ＰＤＳＣＨは、前記第１のサブフレームの狭帯域部分におけるシステム情報ブロック（ＳＩＢ）を含む、
請求項１に記載の装置。
【請求項３】
前記処理回路は、前記ＭＰＤＣＣＨにおける前記ＤＣＩに従って、ＳＩＢを含まない第２のサブフレームにおける前記ＰＤＳＣＨをデコードするよう構成される
請求項２に記載の装置。
【請求項４】
前記ＭＰＤＣＣＨが受信される前記最後のサブフレームの後の前記サブフレームの数は、前記ＢＳによって予め定められる
請求項１から３のいずれか一項に記載の装置。
【請求項５】
前記ＭＰＤＣＣＨにおける前記ＤＣＩは、前記ＢＳに従って繰り返すよう構成された、前記帯域幅限定ＵＥのための複数のＰＤＳＣＨサブフレームを示す、
請求項１から４のいずれか一項に記載の装置。
【請求項６】
前記処理回路は、前記帯域幅限定ＵＥを、１．４ＭＨｚの最大チャネル帯域幅に対応する６個の物理リソースブロック（ＰＲＢ）の限定チャネル帯域幅内のライセンスされたセルラ帯域において動作するよう構成する
請求項１から５のいずれか一項に記載の装置。
【請求項７】
前記帯域幅限定ＵＥに対する前記複数のＰＤＳＣＨサブフレームは、ＳＩＢを含む前記第１のサブフレームを有し、
前記複数のＰＤＳＣＨサブフレームは、周期的に繰り返すよう構成される、
請求項５に記載の装置。
【請求項８】
マシンタイプ通信（ＭＴＣ）のために構成されたベースステーション（ＢＳ）の装置であって、前記装置は、処理回路とメモリとを備え、
前記処理回路は、
帯域幅限定ユーザ機器（帯域幅限定ＵＥ）に送信するために、ＭＴＣ物理ダウンリンク制御チャネル（ＭＰＤＣＣＨ）をエンコードする段階であって、前記ＭＰＤＣＣＨは、前記帯域幅限定ＵＥに対する物理ダウンリンク共有チャネル（ＰＤＳＣＨ）サブフレーム割り当てを示すダウンリンク制御情報（ＤＣＩ）を含む、段階と、
前記帯域幅限定ＵＥに送信するために、前記ＭＰＤＣＣＨにおける前記ＤＣＩに従って、第１のサブフレームにおけるＰＤＳＣＨをエンコードする段階であって、前記ＰＤＳＣＨは、前記ＭＰＤＣＣＨが送信される最後のサブフレームの後の予め定められた数のサブフレームにおいて送信され、前記ＭＰＤＣＣＨが送信される最初のサブフレームに対する開始シンボルは、上位レイヤによって構成される、段階と、を実行し、
前記メモリは、少なくとも前記ＤＣＩを格納する、
装置。
【請求項９】
前記処理回路は、前記ＰＤＳＣＨの前記第１のサブフレームの狭帯域部分におけるシステム情報ブロック（ＳＩＢ）をエンコードするよう構成される、
請求項８に記載の装置。
【請求項１０】
前記処理回路は、前記ＭＰＤＣＣＨにおける前記ＤＣＩに従って、ＳＩＢを含まない第２のサブフレームにおける前記ＰＤＳＣＨをエンコードするよう構成される、
請求項９に記載の装置。
【請求項１１】
前記ＭＰＤＣＣＨが送信される前記最後のサブフレームの後の前記サブフレームの数は、上位レイヤによって予め定められる
請求項８から１０のいずれか一項に記載の装置。
【請求項１２】
前記ＭＰＤＣＣＨにおける前記ＤＣＩは、上位レイヤに従って繰り返すよう構成された、前記帯域幅限定ＵＥのための複数のＰＤＳＣＨサブフレームを示す、
請求項８から１１のいずれか一項に記載の装置。
【請求項１３】
前記処理回路は、前記ＢＳを、１．４ＭＨｚの最大チャネル帯域幅に対応する６個の物理リソースブロック（ＰＲＢ）の限定チャネル帯域幅内のライセンスされたセルラ帯域において動作するよう構成する
請求項８から１２のいずれか一項に記載の装置。
【請求項１４】
前記帯域幅限定ＵＥに対する前記複数のＰＤＳＣＨサブフレームは、ＳＩＢを含む前記第１のサブフレームを有し、
前記複数のＰＤＳＣＨサブフレームは、周期的に繰り返すよう構成される、
請求項１２に記載の装置。
【請求項１５】
前記ＢＳは、進化型ノードＢ（ｅＮＢ）である、
請求項８から１４のいずれか一項に記載の装置。
【請求項１６】
ユーザ機器（ＵＥ）の１又は複数のプロセッサに、
ベースステーション（ＢＳ）から受信したシグナリングから、前記ＵＥに向けられたＭＴＣ物理ダウンリンク制御チャネル（ＭＰＤＣＣＨ）をデコードする段階であって、前記ＭＰＤＣＣＨは、前記ＵＥに対する物理ダウンリンク共有チャネル（ＰＤＳＣＨ）サブフレーム割り当てを示すダウンリンク制御情報（ＤＣＩ）を有する、段階と、
前記ＭＰＤＣＣＨにおける前記ＤＣＩに従って第１のサブフレームにおける前記ＰＤＳＣＨをデコードする段階であって、前記ＰＤＳＣＨは、前記ＭＰＤＣＣＨが受信される最後のサブフレームの後の予め定められた数のサブフレームにおいて受信され、前記ＭＰＤＣＣＨが送信される最初のサブフレームの開始シンボルは、前記ＢＳによって構成され、前記第１のサブフレームにおける前記ＰＤＳＣＨは、前記第１のサブフレームの狭帯域部分におけるシステム情報ブロック（ＳＩＢ）を含む、段階と、を実行させる
プログラム。
【請求項１７】
前記プログラムは、前記１つ又は複数のプロセッサに、
前記ＭＰＤＣＣＨにおける前記ＤＣＩに従って、ＳＩＢを含まない第２のサブフレームにおける前記ＰＤＳＣＨをデコードする段階を実行させる、
請求項１６に記載のプログラム。
【請求項１８】
前記ＭＰＤＣＣＨが受信される前記最後のサブフレームの後の前記サブフレームの数は、前記ＢＳによって予め定められる
請求項１６または１７に記載のプログラム。
【請求項１９】
ベースステーション（ＢＳ）の１又は複数のプロセッサに、
帯域幅限定ユーザ機器（帯域幅限定ＵＥ）に送信するために、ＭＴＣ物理ダウンリンク制御チャネル（ＭＰＤＣＣＨ）をエンコードする段階であって、前記ＭＰＤＣＣＨは、前記帯域幅限定ＵＥに対する物理ダウンリンク共有チャネル（ＰＤＳＣＨ）サブフレーム割り当てを示すダウンリンク制御情報（ＤＣＩ）を含む、段階と、
前記帯域幅限定ＵＥに送信するために、前記ＭＰＤＣＣＨにおける前記ＤＣＩに従って、第１のサブフレームにおけるＰＤＳＣＨをエンコードする段階であって、前記ＰＤＳＣＨは、前記ＭＰＤＣＣＨが送信される最後のサブフレームの後の予め定められた数のサブフレームにおいて送信され、前記ＭＰＤＣＣＨが送信される最初のサブフレームに対する開始シンボルは、上位レイヤによって構成される、段階と、
前記ＰＤＳＣＨの前記第１のサブフレームの狭帯域部分におけるシステム情報ブロック（ＳＩＢ）をエンコードする段階と、を実行させる、
プログラム。
【請求項２０】
前記プログラムは、前記１つ又は複数のプロセッサに、
前記ＭＰＤＣＣＨにおける前記ＤＣＩに従って、ＳＩＢを含まない第２のサブフレームにおける前記ＰＤＳＣＨをエンコードする段階を実行させる、
請求項１９に記載のプログラム。
【請求項２１】
マシンタイプ通信（ＭＴＣ）のために構成された帯域幅限定ユーザ機器（帯域幅限定ＵＥ）の装置であって、前記装置は、
ベースステーション（ＢＳ）から受信したシグナリングから、前記帯域幅限定ＵＥに向けられたＭＴＣ物理ダウンリンク制御チャネル（ＭＰＤＣＣＨ）をデコードする手段であって、前記ＭＰＤＣＣＨは、前記帯域幅限定ＵＥに対する物理ダウンリンク共有チャネル（ＰＤＳＣＨ）サブフレーム割り当てを示すダウンリンク制御情報（ＤＣＩ）を有する、手段と、
前記ＭＰＤＣＣＨの前記ＤＣＩに従って第１のサブフレームにおいて前記ＰＤＳＣＨをデコードする手段であって、前記ＰＤＳＣＨは、前記ＭＰＤＣＣＨが受信される最後のサブフレームの後の予め定められた数のサブフレームにおいて受信され、前記ＭＰＤＣＣＨが送信される最初のサブフレームのための開始シンボルが前記ＢＳによって構成される、手段と、
少なくとも前記ＤＣＩを格納する手段と、を備える、
装置。
【請求項２２】
前記第１のサブフレームにおける前記ＰＤＳＣＨは、前記第１のサブフレームの狭帯域部分におけるシステム情報ブロック（ＳＩＢ）を含む、
請求項２１に記載の装置。
【請求項２３】
前記ＭＰＤＣＣＨにおける前記ＤＣＩに従って、ＳＩＢを含まない第２のサブフレームにおける前記ＰＤＳＣＨをデコードする手段をさらに備える
請求項２２に記載の装置。
【請求項２４】
マシンタイプ通信（ＭＴＣ）のために構成されたベースステーション（ＢＳ）の装置であって、前記装置は、
帯域幅限定ユーザ機器（帯域幅限定ＵＥ）に送信するために、ＭＴＣ物理ダウンリンク制御チャネル（ＭＰＤＣＣＨ）をエンコードする手段であって、前記ＭＰＤＣＣＨは、前記帯域幅限定ＵＥに対する物理ダウンリンク共有チャネル（ＰＤＳＣＨ）サブフレーム割り当てを示すダウンリンク制御情報（ＤＣＩ）を含む、手段と、
前記帯域幅限定ＵＥに送信するために、前記ＭＰＤＣＣＨにおける前記ＤＣＩに従って、第１のサブフレームにおけるＰＤＳＣＨをエンコードする手段であって、前記ＰＤＳＣＨは、前記ＭＰＤＣＣＨが送信される最後のサブフレームの後の予め定められた数のサブフレームにおいて送信され、前記ＭＰＤＣＣＨが送信される最初のサブフレームに対する開始シンボルは、上位レイヤによって構成される、手段と、
少なくとも前記ＤＣＩを格納する手段と、を備える、
装置。
【請求項２５】
前記ＰＤＳＣＨの前記第１のサブフレームの狭帯域部分におけるシステム情報ブロック（ＳＩＢ）をエンコードする手段をさらに備える、
請求項２４に記載の装置。
【請求項２６】
請求項１６から２０のいずれか一項に記載のプログラムを格納するコンピュータ可読記憶媒体。
【発明の詳細な説明】
【技術分野】
【０００１】
［優先権の主張］
本特許出願は、２０１５年３月２４日に出願された米国出願第１４／６６７，４３０号（２０１４年７月３０日に出願された米国仮特許出願第６２／０３１，０５４号に基づく優先権の利益を主張）に基づく優先権の利益を主張し、これら両出願は参照によりそれらの全体が本明細書に組み込まれる。
【０００２】
複数の実施形態は、無線通信に関する。いくつかの実施形態は、３ＧＰＰ（第３世代パートナーシッププロジェクト）ネットワーク、３ＧＰＰ  ＬＴＥ（ロングタームエボリューション）ネットワーク、および３ＧＰＰ  ＬＴＥ‐Ａ（ＬＴＥアドバンスト）を含むセルラ通信ネットワークに関するが、実施形態の範囲はこの点に限定されない。いくつかの実施形態は、マシンタイプ通信（ＭＴＣ）に関する。
【背景技術】
【０００３】
マシンタイプ通信（ＭＴＣ）は、モノのインターネット（ＩｏＴ）の概念を含むユビキタスコンピューティング環境を可能にする新たに出現してきた有望な技術である。ＭＴＣベースの潜在的な用途としては、スマートメータ、医療モニタリング、遠隔セキュリティ監視、インテリジェント交通システム等が含まれる。現在、ＭＴＣデバイスは、ＬＴＥおよびＬＴＥアドバンスト等の現世代および次世代のモバイルブロードバンドネットワークへ統合されるように設計されていない。
【図面の簡単な説明】
【０００４】
添付図面中、同一の参照番号で異なる図面における類似コンポーネントを示すことがあり、添付図面は必ずしも縮尺通りに示されてはいない。異なる添え字付きの同一の参照番号で、類似コンポーネントの異なる例を表すことがある。概して、添付図面は本明細書で記載される様々な実施形態を限定ではなく、例示として示している。
【０００５】
【図１】いくつかの実施形態による、ネットワークの様々なコンポーネントを備える、ＬＴＥネットワークのエンドツーエンドネットワークアーキテクチャの一部を概して示す。
【０００６】
【図２】いくつかの実施形態による、ＵＥの機能ブロック図を概して示す。
【０００７】
【図３Ａ】いくつかの実施形態による、ダウンリンクにおけるマシンタイプ通信（ＭＴＣ）領域のための周波数分割および時分割の区域の図を概して示す。
【図３Ｂ】いくつかの実施形態による、ダウンリンクにおけるマシンタイプ通信（ＭＴＣ）領域のための周波数分割および時分割の区域の図を概して示す。
【０００８】
【図４Ａ】いくつかの実施形態による、アップリンク内のＭＴＣ領域のための周波数分割および時分割の区域の図を概して示す。
【図４Ｂ】いくつかの実施形態による、アップリンク内のＭＴＣ領域のための周波数分割および時分割の区域の図を概して示す。
【０００９】
【図５】いくつかの実施形態による、時分割でのＭＴＣ領域におけるシグナリングを概して示す。
【００１０】
【図６】いくつかの実施形態による、ＭＴＣ物理ブロードキャストチャネル（Ｍ‐ＰＢＣＨ）送信の第１のダイアグラムを概して示す。
【００１１】
【図７】いくつかの実施形態による、ＭＴＣ物理ブロードキャストチャネル（Ｍ‐ＰＢＣＨ）送信の第２のダイアグラムを概して示す。
【００１２】
【図８】いくつかの実施形態による、ＭＴＣ物理ブロードキャストチャネル（Ｍ‐ＰＢＣＨ）送信の第３のダイアグラムを概して示す。
【００１３】
【図９】いくつかの実施形態による、ＭＴＣシステム情報ブロック（Ｍ‐ＳＩＢ）送信のダイアグラムを概して示す。
【００１４】
【図１０Ａ】いくつかの実施形態による、ダウンリンクにおけるＭＴＣ領域のダイアグラムを概して示す。
【図１０Ｂ】いくつかの実施形態による、ダウンリンクにおけるＭＴＣ領域のダイアグラムを概して示す。
【００１５】
【図１１】いくつかの実施形態による、アップリンクにおけるＭＴＣ領域のダイアグラムを概して示す。
【００１６】
【図１２】いくつかの実施形態による、ライセンスされた帯域幅で、ＭＴＣユーザ機器（ＵＥ）を使用するための方法を示すフローチャートを概して示す。
【００１７】
【図１３】マシンのブロック図の例を概して示し、マシン上に、いくつかの実施形態による、本明細書に記載の技術（例えば、手法）のうちの任意の１または複数が実行可能である。
【発明を実施するための形態】
【００１８】
今日、無線通信は無数のデバイス、コントローラ、方法、およびシステムを含む。例えば、ライセンスされた帯域での無線通信は、異なる複数の設定および種類のユーザ機器（ＵＥ）および進化型ノードＢ（ｅＮＢ）を含んでよい。一例において、ライセンスされた帯域の無線通信システムは、第３世代パートナーシッププロジェクト（３ＧＰＰ）ロングタームエボリューション（ＬＴＥ）若しくはＬＴＥアドバンストネットワークまたは他の携帯電話ネットワークとして動作する無線ネットワークを含んでよい。ＬＴＥまたはＬＴＥアドバンストネットワークでは、最小帯域幅は１．４ＭＨｚである。一例において、マシンタイプ通信（ＭＴＣ）は１．４ＭＨｚの送信帯域幅を有してよい。他の例において、ＭＴＣは２００ｋＨｚ、３００ｋＨｚ、４００ｋＨｚ、または１．４ＭＨｚより小さい若しくは１．４ＭＨｚより大きい他の値の送信帯域幅を有してよい。一例において、２００ｋＨｚとは、ＬＴＥまたはＬＴＥアドバンストネットワークにおける単一の物理リソースブロック（ＰＲＢ）のサイズに近い。ＭＴＣとは、デバイスツーデバイス（マシンツーマシンとしても知られる）通信、モノのインターネットタイプの通信等を含んでよい。
【００１９】
一例において、制御チャネルが全システム帯域幅にわたり、送信される。システム帯域幅が１．４ＭＨｚより大きい場合、制御チャネル上での競合が、ＬＴＥまたはＬＴＥアドバンストシステム送信とＭＴＣ送信との間で発生し得る。別の例において、既存のモバイルブロードバンドネットワークは、ＭＴＣ関連の要件を満たすべく、設計または最適化されなくてよい。
【００２０】
一例において、ＵＥ、ｅＮＢ、またはネットワークはＭＴＣをサポートすべく構成されてよい。例えば、通信用のＭＴＣ領域が確立されてよい。ＭＴＣ領域は、時間および周波数のリソース情報の確立若しくは修正、シグナリング、または競合処理を含んでよい。ＭＴＣサポートには、ＭＴＣチャネル状態情報（Ｍ‐ＣＲＳ）設計、ＭＴＣ物理ブロードキャストチャネルＭ‐ＰＢＣＨ設計、ＭＴＣシステム情報ブロックＭ‐ＳＩＢ設計、ＭＴＣ物理ダウンリンク制御チャネル（Ｍ‐ＰＤＣＣＨ）設計を含むＭＴＣ制御チャネル設計、ＭＴＣ物理制御フォーマットインジケータチャネル（Ｍ‐ＰＣＦＩＣＨ）設計、またはＭＴＣ物理ハイブリッド自動再送要求（ＡＲＱ）インジケータチャネル（Ｍ‐ＰＨＩＣＨ）設計、またはＭＴＣアップリンク設計を含んでよい。
【００２１】
図１は、いくつかの実施形態による、ネットワークの様々なコンポーネントを備えるＬＴＥネットワークのエンドツーエンドネットワークアーキテクチャの一部を概して示す。ネットワーク１００は、Ｓ１インタフェース１１５を介して共に連結された、無線アクセスネットワーク（ＲＡＮ）（例えば、図示の通り、Ｅ‐ＵＴＲＡＮ、すなわち進化型ユニバーサル地上無線アクセスネットワーク）１００およびコアネットワーク１２０（例えば、図示の通り、進化型パケットコア（ＥＰＣ）を含む。便宜上および簡潔さのため、ＲＡＮ１００およびコアネットワーク１２０の一部のみが示されている。
【００２２】
コアネットワーク１２０は、モビリティ管理エンティティ（ＭＭＥ）１２２、サービングゲートウェイ（サービングＧＷ）１２４、およびパケットデータネットワークゲートウェイ（ＰＤＮ  ＧＷ）１２６を含む。ＲＡＮは、ユーザ機器（ＵＥ）１０２と通信するための複数の拡張型ノードＢ（複数のｅＮＢ）（複数のベースステーションとして動作してよい）１０４を含む。複数のｅＮＢ１０４には、複数のマクロｅＮＢおよび複数の低電力（ＬＰ）ｅＮＢが含まれてよい。
【００２３】
ＭＭＥは機能的にはレガシサービングＧＰＲＳサポートノード（ＳＧＳＮ）の制御プレーンに類似する。ＭＭＥは、ゲートウェイ選択および追跡領域リスト管理等のアクセスにおけるモビリティ面を管理する。サービングＧＷ１２４は、ＲＡＮ１００に向かうインタフェースを終端し、ＲＡＮ１００とコアネットワーク１２０との間のデータパケットをルーティングする。また、サービングＧＷ１２４はｅＮＢ間のハンドオーバのためのローカルモビリティアンカーポイントであってよく、３ＧＰＰ間モビリティのためのアンカーも提供してよい。他の役割としては、合法的傍受、課金、および何らかのポリシー施行が含まれてよい。サービングＧＷ１２４およびＭＭＥ１２２は、１つの物理ノードまたは複数の別箇の物理ノードにおいて実装されてよい。ＰＤＮ  ＧＷ１２６は、パケットデータネットワーク（ＰＤＮ）に向かうＳＧｉインタフェースを終端する。ＰＤＮ  ＧＷ１２６は、ＥＰＣ１２０と外部ＰＤＮとの間でデータパケットをルーティングし、ポリシー施行および課金データ収集のためのキーとなるノードであってよい。ＰＤＮ  ＧＷ１２６はまた、非ＬＴＥアクセスとのモビリティのためのアンカーポイントも提供してよい。外部ＰＤＮは、ＩＰマルチメディアサブシステム（ＩＭＳ）ドメインに加え、任意の種類のＩＰネットワークであってよい。ＰＤＮ  ＧＷ１２６およびサービングＧＷ１２４は、１つの物理ノードまたは複数の分離された物理ノードにおいて実装されてよい。
【００２４】
ｅＮＢ１０４（マクロおよびマイクロ）は、エアインタフェースプロトコルを終端し、ＵＥ１０２のためのコンタクトの第１のポイントであってよい。いくつかの実施形態において、ｅＮＢ１０４は、ＲＡＮ１００の様々な論理的機能を遂行してよく、それらとしては限定ではないが、無線ベアラ管理、アップリンクおよびダウンリンクの動的無線リソース管理とデータパケットスケジューリング、並びにモビリティ管理等の複数のＲＮＣ（無線ネットワークコントローラ）機能が含まれる。複数の実施形態により、ＵＥ１０２はＯＦＤＭＡ通信技術により、マルチキャリア通信チャネル経由でＯＦＤＭ通信信号をｅＮＢ１０４と通信するよう構成されてよい。ＯＦＤＭ信号は、複数の直交サブキャリアを含んでよい。
【００２５】
Ｓ１インタフェース１１５は、ＲＡＮ１００とＥＰＣ１２０とを分離するインタフェースである。Ｓ１インタフェース１１５は、Ｓ１‐ＵとＳ１‐ＭＭＥとの２つの部分に分割される。Ｓ１‐Ｕは、ｅＮＢ１０４とサービングＧＷ１２４との間のトラフィックデータを搬送し、Ｓ１‐ＭＭＥは、ｅＮＢ１０４とＭＭＥ１２２との間のシグナリングインタフェースである。Ｘ２インタフェースは、ｅＮＢ１０４間のインタフェースである。Ｘ２インタフェースは、Ｘ２‐ＣとＸ２‐Ｕとの２つの部分を含む。Ｘ２‐ＣはｅＮＢ１０４間の制御プレーンインタフェースである一方、Ｘ２‐ＵはｅＮＢ１０４間のユーザプレーンインタフェースである。
【００２６】
セルラネットワークでは、屋外の信号が十分に到達しない屋内領域にカバレッジを拡張するため、または鉄道の駅等の電話使用量が非常に集中する領域にネットワーク容量を追加するため、通常ＬＰセルが使用される。本明細書で使用されるように、低電力（ＬＰ）ｅＮＢという用語は、フェムトセル、ピコセル、またはマイクロセル等、より狭いセル（マクロセルより狭い）を実装するのに好適な任意の比較的低電力のｅＮＢを指す。フェムトセルｅＮＢは通常、モバイルネットワーク事業者によって、その住宅向けまたは企業向け顧客に提供される。フェムトセルは通常、住宅向けゲートウェイのサイズ、またはそれより小さいサイズであり、概してユーザのブロードバンドラインに接続する。いったん接続されると、フェムトセルはモバイル事業者のモバイルネットワークに接続し、住宅向けフェムトセルに対し通常３０〜５０メートルの範囲内に追加のカバレッジを提供する。故に、ＬＰ  ｅＮＢはＰＤＮ  ＧＷ１２６を介して連結されるので、ＬＰ  ｅＮＢはフェムトセルｅＮＢであってよい。同様に、ピコセルは、ビル内（オフィス、ショッピングモール、鉄道の駅等）、または最近では航空機内等の小さな領域を通常カバーする無線通信システムである。概してピコセルｅＮＢは、そのベースステーションコントローラ（ＢＳＣ）機能によって、マクロｅＮＢ等の別のｅＮＢにＸ２リンクを介して接続し得る。故に、ピコセルｅＮＢはＸ２インタフェースを介してマクロｅＮＢに連結されるので、ＬＰ  ｅＮＢはピコセルｅＮＢで実装されてよい。ピコセルｅＮＢまたは他のＬＰ  ｅＮＢは、マクロｅＮＢの機能のいくつかまたはすべてを組み込んでよい。いくつかの場合において、これは、アクセスポイントベースステーションまたはエンタープライズフェムトセルと呼ばれ得る。
【００２７】
いくつかの実施形態において、ｅＮＢからＵＥへのダウンリンク送信のために、ダウンリンクリソースグリッドが使用されてよい。当該グリッドは、リソースグリッドと呼ばれる時間‐周波数グリッドであってよく、それは各スロット内のダウンリンクにおける物理リソースである。そのような時間‐周波数のプレーン表現は、ＯＦＤＭシステムの共通プラクティスであり、これにより、無線リソース割り当てが直観的になる。リソースグリッドの各列および各行が、１つのＯＦＤＭシンボルおよび１つのＯＦＤＭサブキャリアにそれぞれ対応する。時間ドメインにおけるリソースグリッドの持続時間は、無線フレームの１スロットに対応する。リソースグリッドの最小時間‐周波数ユニットはリソース要素として示される。各リソースグリッドは複数のリソースブロックを備え、複数のリソースブロックは、特定の物理チャネルのリソース要素へのマッピングを示す。各リソースブロックはリソース要素の集まりを含み、周波数ドメインにおいて、この集まりは、現在割り当て可能なリソースの最小量を表す。そのようなリソースブロックを使用して伝達される、いくつかの異なる物理ダウンリンクチャネルが存在する。特にこの開示に関し、これらの物理ダウンリンクチャネルの２つは、物理ダウンリンク共有チャネルと物理ダウンリンク制御チャネルである。
【００２８】
物理ダウンリンク共有チャネル（ＰＤＳＣＨ）は、ユーザデータと上位レベルのシグナリングとをＵＥ１０２（図１）に搬送する。とりわけ、物理ダウンリンク制御チャネル（ＰＤＣＣＨ）は、ＰＤＳＣＨチャネルに関するトランスポート形式とリソース割り当てについての情報を搬送する。物理ダウンリンク制御チャネル（ＰＤＣＣＨ）はまた、アップリンク共有チャネルに関するトランスポート形式、リソース割り当て、およびＨ‐ＡＲＱ情報についてＵＥに通知する。通常、ダウンリンクスケジューリング（制御および共有チャネルリソースブロックをセル内のＵＥに割り当てる）は、ＵＥからｅＮＢにフィードバックされるチャネル品質情報に基づき、ｅＮＢで行われ、その後、ダウンリンクリソース割り当て情報が当該ＵＥに使用される（割り当てられる）制御チャネル（ＰＤＣＣＨ）上でＵＥに送信される。
【００２９】
ＰＤＣＣＨは、制御情報を伝達するためのＣＣＥ（制御チャネル要素）を使用する。リソース要素にマッピングされる前に、複数のＰＤＣＣＨ複素数シンボルが最初に４組（ｑｕａｄｒｕｐｌｅｔ）に編成され、その後レートマッチング用のサブブロックインターリーバを使用して並べ替えられる。各ＰＤＣＣＨは、これらの制御チャネル要素（ＣＣＥ）のうちの１または複数を使用して送信され、各ＣＣＥは、リソース要素グループ（ＲＥＧ）として知られる４つの物理リソース要素を一組とした９組に対応する。４つのＱＰＳＫシンボルが各ＲＥＧにマッピングされる。ＰＤＣＣＨは、ＤＣＩのサイズおよびチャネル状況に応じて、１または複数のＣＣＥを使用して送信可能である。異なる数のＣＣＥ（例えば、アグリゲーションレベル、Ｌ＝１、２、４、または８）を有するＬＴＥにおいて規定される、４または４より多い異なるＰＤＣＣＨフォーマットが存在してよい。
【００３０】
図２は、いくつかの実施形態による、ＵＥの機能ブロック図を示す。ＵＥ２００は、図１中に示されるＵＥ１０２のうちの任意の１つまたは複数として使用されるのに好適であってよい。ＵＥ２００は、１または複数のアンテナ２０１を使用して、複数のｅＮＢ１０４（図１）との間で信号を送受信するための物理レイヤ回路２０２を含んでよい。ＵＥ２００はまた、無線媒体へのアクセスを制御するための媒体アクセス制御レイヤ（ＭＡＣ）回路２０４を含んでよい。ＵＥ２００はまた、本明細書に記載の動作を実行すべく、ＵＥの様々な要素を構成するために配置された処理回路２０６およびメモリ２０８を含んでよい。
【００３１】
図２はいくつかの実施形態による、ＵＥの機能ブロック図を概して示す。ＵＥ２００はＵＥ１０２（図１）としての使用に好適であってよい。ＵＥ２００は、１または複数のアンテナ２０１を使用して、複数のｅＮＢ１０４（図１）との間で信号を送受信するための物理レイヤ回路２０２を含んでよい。ＵＥ２００はまた、無線媒体へのアクセスを制御するための媒体アクセス制御レイヤ（ＭＡＣ）回路２０４を含んでよい。ＵＥ２００はまた、本明細書に記載の動作を実行すべく配置された処理回路２０６およびメモリ２０８を含んでよい。
【００３２】
いくつかの実施形態により、ＭＡＣ回路２０４は無線媒体を求めて競争するため、および無線媒体経由で通信するためにフレームまたはパケットを構成するために配置されてよく、ＰＨＹ回路２０２は信号を送受信するために配置されてよい。ＰＨＹ２０２は、変調／復調、アップコンバージョン／ダウンコンバージョン、フィルタリング、増幅等のための回路を含んでよい。いくつかの実施形態において、デバイス２００の処理回路２０６は１または複数のプロセッサを含んでよい。いくつかの実施形態において、２または２より多いアンテナが、信号の送受信用に配置された物理レイヤ回路に連結されてよい。物理レイヤ回路は、セルラ（例えば、ＬＴＥ）およびＷＬＡＮ（例えば、ＩＥＥＥ８０２．１１）技術に従い通信するための１または複数の無線を含んでよい。メモリ２０８は、ＨＥＷフレームを構成および送信し、本明細書に記載の様々な動作を実行するための動作を実行すべく、処理回路２０６を構成するための情報を格納してよい。
【００３３】
いくつかの実施形態において、ＵＥ２００は、携帯用情報端末（ＰＤＡ）、無線通信機能を備えたラップトップ若しくはポータブルコンピュータ、ウェブタブレット、無線電話、スマートフォン、無線ヘッドセット、ページャ、インスタントメッセージングデバイス、デジタルカメラ、アクセスポイント、テレビ、ウェアラブルデバイス、医療デバイス（例えば、心拍数モニタ、血圧モニタ等）、または情報を無線で受信および／または送信可能な他のデバイス等のポータブル無線通信デバイスの一部であってよい。いくつかの実施形態において、ＵＥ２００は、キーボード、ディスプレイ、不揮発性メモリポート、複数のアンテナ、グラフィックプロセッサ、アプリケーションプロセッサ、スピーカ、および他のモバイルデバイス要素のうちの１または複数を含んでよい。ディスプレイは、タッチスクリーンを含むＬＣＤスクリーンであってよい。
【００３４】
ＵＥ２００によって利用される１または複数のアンテナ２０１は、１または複数の指向性若しくは全方向性アンテナを含んでよく、それらとしては例えば、ダイポールアンテナ、モノポールアンテナ、パッチアンテナ、ループアンテナ、マイクロストリップアンテナ、またはＲＦ信号の送信のために好適な他のタイプのアンテナが含まれる。いくつかの実施形態において、２または２より多いアンテナの代わりに、複数のアパーチャを備えた単一のアンテナが使用されてよい。これらの実施形態において、各アパーチャは別箇のアンテナとしてみなされてよい。いくつかの多重入力多重出力（ＭＩＭＯ）実施形態において、当該複数のアンテナは、当該複数のアンテナの各々と送信ステーションの複数のアンテナとの間にもたらし得る空間ダイバーシチおよび異なるチャネル特性を利用すべく、効果的に分離されてよい。いくつかのＭＩＭＯの実施形態において、当該複数のアンテナは、波長の最大１／１０またはそれより多いものによって分離されてよい。
【００３５】
ＵＥ２００はいくつかの別個の機能要素を有するものとして示されているが、当該機能要素のうちの１または複数が組み合わされてよく、当該機能要素のうちの１または複数は、デジタル信号プロセッサ（ＤＳＰ）を含む処理要素等のソフトウェアで構成される要素、および／または他のハードウェア要素の組み合わせによって実装されてよい。例えば、いくつかの要素は、１または複数のマイクロプロセッサ、ＤＳＰ、特定用途向け集積回路（ＡＳＩＣ）、無線周波数集積回路（ＲＦＩＣ）、および本明細書に記載の機能を少なくとも実行するための様々なハードウェアおよび論理回路の組み合わせを備えてよい。いくつかの実施形態において、当該複数の機能要素は、１または複数の処理要素上で動作する１または複数の処理を指してよい。
【００３６】
実施形態は、ハードウェア、ファームウェアおよびソフトウェアの１または複数の組み合わせで実装されてよい。実施形態はまた、本明細書に記載の複数の動作を実行すべく、少なくとも１つのプロセッサにより読み出され得、実行され得る、コンピュータ可読記憶媒体上に格納される複数の命令として実装されてもよい。コンピュータ可読記憶媒体は、マシン（例えばコンピュータ）によって読み取り可能な形態で情報を格納するための任意の非一時的メカニズムを含んでよい。例えば、コンピュータ可読記憶媒体は、リードオンリメモリ（ＲＯＭ）、ランダムアクセスメモリ（ＲＡＭ）、磁気ディスク記憶媒体、光記憶媒体、フラッシュメモリデバイス、並びに他のストレージデバイスおよび媒体を含んでよい。これらの実施形態において、１または複数のプロセッサは、本明細書に記載の動作を実行するための命令で構成されてよい。
【００３７】
いくつかの実施形態において、ＵＥ２００は、ＯＦＤＭＡ通信技術によるマルチキャリア通信チャネル経由でＯＦＤＭ通信信号を受信するよう構成されてよい。ＯＦＤＭ信号は、複数の直交サブキャリアを備えてよい。いくつかのブロードバンドマルチキャリアの実施形態において、ｅＮＢは、ワールドワイドインターオペラビリティフォーマイクロウェーブアクセス（ＷｉＭＡＸ）通信ネットワーク、または第３世代パートナーシッププロジェクト（３ＧＰＰ）ユニバーサル地上波無線アクセスネットワーク（ＵＴＲＡＮ）ロングタームエボリューション（ＬＴＥ）若しくはロングタームエボリューション（ＬＴＥ）通信ネットワーク等のブロードバンド無線アクセス（ＢＷＡ）ネットワーク通信ネットワークの一部であってよいが、本発明の範囲はこの点に関して限定されない。これらのブロードバンドマルチキャリアの実施形態において、ＵＥ２００およびｅＮＢは、直交周波数分割多元接続（ＯＦＤＭＡ）技術に従って通信するよう構成されてよい。
【００３８】
図３Ａおよび図３Ｂは、いくつかの実施形態による、ダウンリンクにおけるマシンタイプ通信（ＭＴＣ）領域（例えば、３０４Ａおよび３０４Ｂ）のための周波数分割および時分割の区域のダイアグラム（例えば、３００Ａおよび３００Ｂ）を概して示す。ダイアグラム３００Ａおよびダイアグラム３００Ｂは、ＬＴＥまたはＬＴＥアドバンストネットワークのための制御領域３０２を含む。一例において、ダイアグラム３００ＡはＭＴＣ領域３０４Ａを含み、ＭＴＣ領域３０４Ａは制御領域３０２と時分割多重化される。ダイアグラム３００Ａに図示の通り、制御領域３０２はサブフレーム軸沿いでＭＴＣ領域３０４Ａの前に存在する。一例において、ダイアグラム３００ＡはＭＴＣ領域の周波数分割を含む。一例において、ＭＴＣ領域３０４Ａは、システム帯域幅内のＰＲＢの連続的なセット（例えば、６個または７個のＰＲＢ）に配置されてよい。例えば、当該ＭＴＣ領域は、システム帯域幅の縁等に集中したＰＲＢのセット（例えば、６個または７個のＰＲＢ）に配置されてよい。別の例において、当該ＭＴＣ領域は、周波数区域のセットを含んでよく、ダウンリンクまたはアップリンクにおいて、システム帯域幅内の複数のサブキャリアインデックスを使用して記述されてよい。当該ＭＴＣ領域のアップリンク周波数区域は、物理アップリンク制御チャネル（ＰＵＣＣＨ）領域または物理ランダムアクセスチャネル（ＰＲＡＣＨ）領域を除外してよい。例えば、ＰＵＣＣＨ領域またはＰＲＡＣＨ領域は、ＬＴＥまたはＬＴＥアドバンスト通信に使用されてよく、ＭＴＣには必要でなくてもよい。またはＰＵＣＣＨ領域またはＰＲＡＣＨ領域は、ＭＴＣに干渉してよく、ＭＴＣに使用されなくてもよい。
【００３９】
別の例において、ダイアグラム３００Ｂは、周波数ダイバーシチをさらに活用すべく適用されるスロット内ホッピングを有するＭＴＣ領域３０４Ｂを含む。ダイアグラム３００Ｂ中、制御領域３０２およびＭＴＣ領域３０４Ｂは時分割多重化されてよく、ＭＴＣ領域３０４Ｂはスロット内ホッピング（例えば、スロット０用の第１の周波数セットまたは周波数帯域およびスロット１用の第２の周波数セットまたは周波数帯域）をさらに含んでよい。別の例において、当該ＭＴＣ領域はサブフレーム内ホッピングを使用してよい。
【００４０】
図３Ａおよび図３Ｂの時分割は、ダウンリンクにおけるＭＴＣ領域の複数の直交周波数分割多重（ＯＦＤＭ）シンボルを含んでよい。ダイアグラム３００Ａおよびダイアグラム３００Ｂは、ＭＴＣ領域について、ダウンリンクまたはアップリンクにおいて１フレーム内にサブフレームのセットを含んでよい。一例において、ダウンリンクにおいてＭＴＣ領域の開始シンボルが予め定義されてよい。別の例において、開始シンボルは、１フレーム内の１サブフレーム（またはすべてのサブフレーム）のために、ＰＤＣＣＨ領域の後に配置されるよう構成されてよい。例えば、ＰＤＣＣＨ領域は制御領域３０２を含んでよく、ＭＴＣ領域は制御領域３０２が終了した後、開始してよい。別の例において、集中的なＰＲＢのセット（例えば、６個または７個のＰＲＢ）がＭＴＣに割り当てられる場合、ＰＢＣＨ並びにプライマリ同期信号およびセカンダリ同期信号（ＰＳＳ／ＳＳＳ）送信に割り当てられない複数のサブフレームがダウンリンクおよびアップリンクの両方においてＭＴＣ領域のために使用されてよい。例えば、ＭＴＣ領域はＰＳＳ／ＳＳＳに使用されないサブフレームを含んでよい。
【００４１】
図４Ａおよび図４Ｂは、いくつかの実施形態による、アップリンクにおけるＭＴＣ領域（例えば、４０４Ａおよび４０４Ｂ）のための周波数分割および時分割の区域のダイアグラム（例えば、４００Ａおよび４００Ｂ）を概して示す。図４Ａ中、ダイアグラム４００Ａはシステム帯域幅内のＰＲＢのセット（例えば、６個または７個のＰＲＢ）等の連続的な周波数範囲に配置されるＭＴＣ領域４０４Ａを示す。ＭＴＣ領域４０４ＡはＰＵＣＣＨ領域４０２またはＰＲＡＣＨ領域４０６を除外してよい。ダイアグラム４００Ａ中、例示的なＭＴＣ領域４０４は、スロット内ホッピングなしのサブフレームのために示されている。図４Ｂのダイアグラム４００Ｂ中、ＭＴＣ領域４０４Ｂは、周波数ダイバーシチをさらに活用すべく、スロット内ホッピングを含む。ＭＴＣ領域はまた、サブフレーム内ホッピングを適用してよい。一例において、最大の周波数ダイバーシチを達成すべく、ＰＵＣＣＨタイプのホッピングがスロット内ホッピングに使用されてよい。
【００４２】
別の例において、ＭＴＣ領域の時間または周波数区域は、アップリンク、ダウンリンク、またはその両方について異なってよい。固定のホッピングパターンが使用されてよい。固定のホッピングパターンは物理セル識別から導かれてよい。別の例において、サブフレームインデックスが定義されてよい。上記の例においては、セル間干渉のランダム化が達成されてよい。
【００４３】
一例において、ＬＴＥまたはＬＴＥアドバンストタイプ通信を使用する送信がＭＴＣ領域においてスケジューリングされてよい。この例において、ｅＮＢは、ＬＴＥまたはＬＴＥアドバンストタイプ通信を使用するＵＥ、およびＭＴＣを使用するＵＥのためのリソース割り当てを決定してよい。
【００４４】
一例において、ＭＴＣ領域のコンフィギュレーションは予め定義されてよい。別の例において、ＭＴＣ領域のコンフィギュレーションは上位レイヤによって構成されてよい。コンフィギュレーション情報は予め定められてよい。例えば、集中的なＰＲＢのセット（例えば、６個または７個のＰＲＢ）がダウンリンクまたはアップリンクのＭＴＣ領域に割り当てられてよい。一例において、ダウンリンクにおいては、ＭＴＣ領域はサブフレーム＃０およびサブフレーム＃５以外の複数のサブフレーム内の４番目のシンボルから開始する。別の例において、ＭＴＣ領域の時間および周波数のリソース情報が、マスタ情報ブロック（ＭＩＢ）内で示されてよい。特に、ＭＴＣ領域のためのコンフィギュレーションを含むフィールドは、レガシＭＩＢ内の１０個の予備ビット内のＹ０ビットを占有してよい。これは、下位互換性に寄与してよい。
【００４５】
一例において、Ｍ‐ＰＢＣＨはレガシＰＢＣＨと同一リソース（例えば、同一サブフレーム、ＯＦＤＭシンボル、または複数のＰＲＢ）内に割り当てられてよい。また、レガシＰＢＣＨ送信のための既存のチャネルコーディング、レートマッチング、変調、レイヤマッピング、またはプリコーディングがＭ‐ＰＢＣＨの送信のために再利用されてよい。
【００４６】
図５は、いくつかの実施形態による、時間ドメインにおけるＭＴＣ領域５００内のシグナリングを概して示す。ＭＴＣ領域内のシグナリングはｅＮＢ調整のための様々な場合に効果的に対応してよく、限定数のコンフィギュレーションに起因するシグナリングオーバヘッドを低減してよい。ＭＴＣのためのＵＥは、ＭＴＣオケージョン（例えば、５０２Ａまたは５０２Ｎ）内でダウンリンク信号若しくはデータを受信し、またはアップリンク信号若しくはデータを送信してよい。一例において、サブフレーム（例えば、５０４Ａまたは５０４Ｎ）にはデータが存在しなくてよく、サブフレーム（例えば、５０４Ａまたは５０４Ｎ）は空であってよい。ＭＴＣオケージョン（例えば、５０２Ａまたは５０２Ｎ）は、ダウンリンクまたはアップリンクスケジューリングのための潜在的な領域を定義するための役割を果たしてよい。
【００４７】
ＭＴＣ領域５００の時間または周波数のリソース情報は、ＰＢＣＨまたはＭ‐ＰＢＣＨを介して伝達されてよく、ＭＴＣ領域５００の時間または周波数のリソース情報は、周波数区域（例えば、ＲＢインデックス領域内）または時間区域（例えば、ＯＦＤＭシンボルインデックス、スロットインデックス、サブフレームインデックス、または無線フレームインデックス）を含んでよい。時間に関する情報をシグナリングする具体例において、コンフィギュレーションは、ＭＴＣ領域５００の周期性またはサブフレームオフセットを含んでよい。ＭＴＣ目的のための複数のサブフレーム（例えば、５０４Ａおよび５０４Ｎ）は繰り返されてよい（例えば、周波数分割二重化（ＦＤＤ）、時分割二重化（ＴＤＤ）、または半二重化ＦＤＤ（ＨＤ‐ＦＤＤ）のための複数の連続的なサブフレーム内、または複数の非連続的なサブフレーム内で）。別の例において、複数のサブフレームは、各ＭＴＣオケージョン（例えば、５０２Ａまたは５０２Ｎ）内のＴＤＤまたはＨＤ‐ＦＤＤのために利用可能である複数の連続的なダウンリンクサブフレーム内で定義されてよい。
【００４８】
複数のダウンリンクサブフレーム５１２の第１のサブフレームについて、ＭＴＣオケージョン（例えば、５０２Ａまたは５０２Ｎ）は、以下を満たしてよい。
【数１】
0006455739.tif 000002
式中、ｎｆは無線フレーム数であり、ｎｓはスロット数である。一例において、シグナリングオーバヘッドを低減すべく、無線フレーム５１４内のサブフレーム０からのＭＴＣサブフレームオフセット５１６が予め定められてよい（例えば、ΔＭＴＣ＝０）。この例では、シグナリングは以下のように定義されてよい。
【表１】
0006455739.tif 000003
【００４９】
上記の例において、ＭＴＣ周期性５０８は４０ｍｓの倍数として選択されてよい（例えば、レガシＰＢＣＨのために同一ＭＩＢ内容を伝達するための期間）。上記の例は、固定（例えば、予め定められた）のＮＭＴＣを想定してよい。一例において、ＮＭＴＣは５に等しくてよい（例えば、ＳＳ周期性に類似する）。別の例において、無線フレーム５１４内のサブフレーム０またはサブフレーム５（例えば、ＳＳ／ＰＢＣＨ／ＳＩＢ１／ページングに使用される複数のサブフレーム）を回避すべく、ＮＭＴＣは４に等しくてよい。さらなる別の例において、ＮＭＴＣは１０に等しくてよい（例えば、無線フレーム長）。さらなる別の例において、ＮＭＴＣは４０に等しくてよい（例えば、レガシＰＢＣＨに同一ＭＩＢを伝達するための周期に従い）。ＮＭＴＣのための複数の他の値も使用されてよい。
【００５０】
ＭＴＣサブフレームオフセット５１６はまた、限定された候補とともにシグナリングされてよい。例えば、ΔＭＴＣは０または５であってよい。
【表２】
0006455739.tif 000004
【００５１】
一例において、ＮＭＴＣはシグナリンングされてよく（ΔＭＴＣ＝０の場合）、例えば、ＮＭＴＣは５または１０であってよい。
【表３】
0006455739.tif 000005
【００５２】
一例において、ＭＴＣ領域５００に割り当てられるサブフレームインデックスのためのビットマップが定義されてよい。特に、ＭＴＣオケージョン（例えば、５０２Ａまたは５０２Ｎ）内でビットマップが定義されてよい。例えば、ＮＭＴＣ＝４の場合、ＭＴＣ領域５００にサブフレーム＃３およびサブフレーム＃４が割り当てられることを示すために、ビットマップ「００１１」が使用されてよい。別の例において、シグナリングオーバヘッドを低減すべく、ＭＴＣオケージョン（例えば、５０２Ａまたは５０２Ｎ）および周期性５０８と共に、限定セットのビットマップが構成されてよい。
【００５３】
別の例において、ＭＴＣ領域５００の時間および周波数のリソース情報がＭＴＣシステム情報ブロック（Ｍ‐ＳＩＢ）内でブロードキャストされてよい。この例において、Ｍ‐ＳＩＢ送信のためのリソース情報（例えば、時間および周波数区域）または変調および符号化方式（ＭＣＳ）が予め定義されてよい。別の例において、Ｍ‐ＳＩＢ送信のリソース情報またはＭＣＳが、ＭＴＣマスタ情報ブロック（Ｍ‐ＭＩＢ）内で構成されてよい。Ｍ‐ＭＩＢ送信を使用する例においては、Ｍ‐ＳＩＢを構成するために、情報を含むフィールドは、レガシＭＩＢ内の１０個の予備ビット内のＹ１ビットを占有し、下位互換性を保証してよい。Ｍ‐ＳＩＢを正常にデコードした後、ＭＴＣ  ＵＥは、複数のＭＴＣ領域の時間および周波数情報を判断してよい。
【００５４】
別の例において、アップリンクおよびダウンリンクのＭＴＣ領域の異なるコンフィギュレーションについては、別箇のまたは共同コンフィギュレーションシグナリングが使用されてよい。別箇のコンフィギュレーションシグナリングを用いる例においては、上記のものと類似のシグナリングメカニズムがダウンリンクおよびアップリンクの両方のＭＴＣ領域に適用されてよい。共同コンフィギュレーションシグナリングのための例においては、コンフィギュレーション情報のうちの一部（例えば、複数のＭＴＣオケージョン）がダウンリンクおよびアップリンクの両方のＭＴＣ領域に適用されてよい。例えば、ＭＴＣダウンリンクまたはアップリンクのサブフレームは、ＭＴＣダウンリンクサブフレームとは異なるＭＴＣアップリンクサブフレームのコンフィギュレーションに対応する差分ビットマップのシグナリングを用いて上記複数のＭＴＣオケージョンによって示されてよい。この例は、差分ビットマップが空の場合、ＭＴＣダウンリンクおよびアップリンクについて全く同一の複数のサブフレームを構成するためのオプションを含んでよい。
【００５５】
一例において、複数の送信はＭＴＣ領域内で干渉または競合してよい。ダウンリンク物理チャネルがＭＴＣ領域内で送信される場合、物理チャネル送信のためのリソース要素（ＲＥ）マッピングがＣＲＳまたは復調参照信号（ＤＭ‐ＲＳ）に近くレートマッチングされてよい。ＣＲＳまたはＤＭ‐ＲＳは送信モードに依存してよい。別の例において、ＭＴＣ領域は、ＰＳＳ／ＳＳＳ送信と物理チャネル送信との間の競合を含んでよい。この例において、物理チャネル送信のためのＲＥマッピングは、ＰＳＳ／ＳＳＳ送信に近くレートマッチングされてよい。
【００５６】
ＭＴＣ領域はチャネル状態情報（ＣＳＩ）参照信号（ＣＳＩ‐ＲＳ）と競合してよい。一例において、ＭＴＣ領域内の複数のダウンリンク物理チャネルの送信のためのリソース要素（ＲＥ）マッピングは、ＣＳＩ‐ＲＳコンフィギュレーションで使用される複数のＲＥに近くレートマッチングまたはパンクチャされてよい。別の例において、ＣＳＩ‐ＲＳコンフィギュレーションで使用される複数のＲＥ近くへのレートマッチングまたはパンクチャは、ＰＳＳ／ＳＳＳ送信と競合するＭＴＣ領域の例について上記したマッピングルールを用いて実行されてよい。さらなる別の例において、ｅＮＢはＣＳＩ‐ＲＳ送信とＭＴＣ領域内の送信との間の競合を回避してよい。ｅＮＢは競合を回避するよう構成されてよく、ＵＥはＣＳＩ‐ＲＳがＭＴＣ領域内で送信されないと想定してよい。
【００５７】
ＬＴＥまたはＬＴＥアドバンストにおいては、疑似ランダムシーケンスに基づいてＣＲＳが生成されてよい。疑似ランダムシーケンスを生成するために使用される擬似ランダムシーケンスシードは、物理セル識別、サイクリックプレフィックスのインジケーション、シンボルインデックス、またはサブフレームインデックスの関数として定義されてよい。一例において、ＭＴＣ領域内で既存のＣＲＳが再利用されてよい。例えば、周波数ドメイン情報（例えば、ＭＴＣ領域内のＰＲＢインデックス）がＵＥにおいて認識されてよい。情報およびシステム帯域幅を使用し、擬似ランダムシーケンスが判断されてよく、ＭＴＣ領域内で送信されてよい。システム帯域幅は、ＵＥによって、ＭＩＢ送信から認識されてよい。
【００５８】
別の例において、ＬＴＥまたはＬＴＥアドバンストシステム内のＭＴＣ領域の周波数区域がＵＥデバイスにおいて認識されない場合、ＵＥデバイスは擬似ランダムシーケンスを判断できなくてよく、チャネル推定を実行できなくてよい。新しいＭＴＣ  ＣＲＳ（Ｍ‐ＣＲＳ）がＭＴＣに関与する複数のＵＥに対し、定義され、および指定されてよい。サブフレームがＭＴＣ領域に割り当てられてよい。ＣＲＳ（Ｍ‐ＣＲＳではない）がＭＴＣ領域に割り当てられていないリソース内でのみ送信されてよい。例えば、ＣＲＳはそのサブフレーム内で送信されなくてよいので、ＭＴＣ領域がマルチメディアブロードキャスト単一周波数ネットワーク（ＭＢＳＦＮ）サブフレーム内で割り当てられてよい。この例においては、Ｍ‐ＣＲＳパターンは、既存のＣＲＳ送信を再利用してよく、または異なるＭＴＣランダムシードを持つＣＲＳパターンを使用してよい。
【００５９】
擬似ランダムシーケンスシードは、ＭＴＣ領域のインジケーションの関数として定義されてよい。例えば、以下のようである。
【数２】
0006455739.tif 000006
式中、ＩＭＴＣはＭＴＣ領域のインジケーションであり、ＩＭＴＣ＝１はＭ‐ＣＲＳ送信のためである。定数としてｃを持つ特定の例は次を含んでよい。
【数３】
0006455739.tif 000007
別の例において、ＣＲＳのためのリソースマッピングパターンがＭ‐ＣＲＳ送信のために適用されてよい。
【００６０】
一例において、Ｍ‐ＭＩＢがＰＢＣＨ送信内またはＭＴＣ  ＰＢＣＨ（Ｍ‐ＰＢＣＨ）送信内で搬送されてよい。ＭＴＣ  ＰＢＣＨ送信内にＭ‐ＭＩＢを含めるためのいくつかのオプションが、図４〜図６を参照して後述される。
【００６１】
図６は、いくつかの実施形態による、ＭＴＣ物理ブロードキャストチャネル（Ｍ‐ＰＢＣＨ）送信６０８の第１のダイアグラム６００を概して示す。ダイアグラム６００は、レガシ（例えば、ＬＴＥまたはＬＴＥアドバンスト）ＰＢＣＨ送信サブフレーム６０２およびＭ‐ＰＢＣＨ送信サブフレーム６０４を含む。
【００６２】
図６中、Ｍ‐ＰＢＣＨ送信６０８は断続的に送信されてよい。Ｍ‐ＰＢＣＨ送信サブフレーム６０４は、時分割多重化態様でレガシＰＢＣＨ送信サブフレーム６０２と多重化されてよい。例えば、Ｍ‐ＰＢＣＨ送信サブフレーム６０４は、レガシシステムと共存する狭帯域配置を備えるＭＴＣシステムを使用してよい。一例において、Ｍ‐ＰＢＣＨ送信６０８の周期性６１４は、Ｎ×４０ｍｓであってよい。周期性６１４内では、Ｍ‐ＰＢＣＨ送信６０８は、Ｍ回送信されてよく、Ｍ×４０ｍｓの持続時間６１２を有してよい。Ｍ‐ＰＢＣＨ送信サブフレーム６０４内のスロット６０６またはレガシＰＢＣＨ送信サブフレーム６０２は、１０ｍｓの接続時間６１０を有してよい。
【００６３】
一例において、Ｍ‐ＰＢＣＨ送信６０８は、レガシＰＢＣＨ位置ポジションで送信されてよい。別の例において、ＮはＭより大きくてよく、これによりレガシＬＴＥシステムへの影響を低減してよい。他の例において、Ｍ‐ＰＢＣＨ送信サブフレーム６０４のための様々な周期性レベル（Ｎ）および持続時間（Ｍ）がｅＮＢによって、考慮され、構成されてよい。一例において、ＭＴＣトラフィックに応じて、ｅＮＢはＭ値およびＮ値を動的に調整してよい。ｅＮＢはレガシＵＥへの影響とＭＴＣデバイスのためのアクセスレイテンシとの間でバランスを取ってよい。
【００６４】
図７は、いくつかの実施形態による、ＭＴＣ物理ブロードキャストチャネル（Ｍ‐ＰＢＣＨ）送信７１６の第２のダイアグラム７００を概して示す。図７中、Ｍ‐ＰＢＣＨ送信７１６は断続的に送信されてよく、レガシＰＢＣＨ送信区域７０８以外の区域に割り当てられてよい。図７は、狭帯域配置を備えるＭＴＣシステムがＬＴＥシステムと共存する場合のＭ‐ＰＢＣＨ送信７１６を示す。図６について上記した周期性６１４と類似して、Ｍ‐ＰＢＣＨ送信サブフレーム７０４の周期性７１４および持続時間７１２はそれぞれＮ×４０ｍｓおよびＭ×４０ｍｓであってよい。一例において、レガシＰＢＣＨ送信６０８は、Ｍ‐ＰＢＣＨ送信サブフレーム７０４の持続時間７１２中に送信されてよく、レガシシステムへの影響を最小化する。別の例において、Ｍ値およびＮ値はｅＮＢによって動的に調整されてよく、Ｍ値およびＮ値はＭＴＣトラフィックに依存してよい。
【００６５】
一例において、Ｍ‐ＰＢＣＨ送信７１６はサブフレーム＃０以外の複数のサブフレーム内で送信されてよい。例えば、Ｍ‐ＰＢＣＨ送信７１６がサブフレーム＃５内で送信されてよい。仕様化作業および実装コストを簡素化すべく、Ｍ‐ＰＢＣＨ送信７１６は、レガシＰＢＣＨ送信７０８と同一リソース（例えば、同一のＯＦＤＭシンボルまたは同一の複数のＰＲＢ）内で割り当てられてよい。別の例において、レガシＰＢＣＨ送信７０８のための既存のチャネルコーディング、レートマッチング、変調、レイヤマッピング、またはプリコーディングがＭ‐ＰＢＣＨ送信７１６に再利用されてよい。
【００６６】
別の例において、Ｍ‐ＰＢＣＨ送信７１６は、レガシＰＢＣＨ送信７０８と同様にサブフレーム＃０内で送信されてよく、Ｍ‐ＰＢＣＨ送信７１６は、異なる複数のＯＦＤＭシンボル内に割り当てられてよい。この例において、既存のチャネルコーディング、変調、レイヤマッピング、またはプリコーディングがＭ‐ＰＢＣＨ送信７１６に再利用されてよい。末尾ビットの畳み込みコーディングの後、制御領域、ＣＲＳ、ＰＳＳ／ＳＳＳまたはＰＢＣＨシンボル（例えば、ＭＴＣ領域に別箇に定義されたリソース要素を除外）を除く、利用可能な複数のリソース要素を埋めるべく、レートマッチング処理が行われてよい。さらなる別の例において、レガシＰＢＣＨ送信７０８と整合するために、周波数の第１マッピングがＭ‐ＰＢＣＨ送信７１６に適用されてよい。この例において、Ｍ‐ＰＢＣＨ送信７１６のための開始シンボルが予め定められてよい。例えば、Ｍ‐ＰＢＣＨ送信７１６は、ＯＦＤＭシンボル＃４から開始して送信されてよい。
【００６７】
図８は、いくつかの実施形態による、ＭＴＣ物理ブロードキャストチャネル（Ｍ‐ＰＢＣＨ）送信８１６の第３のダイアグラム８００を概して示す。一例において、サブフレーム８０４等のすべてのサブフレームにおいて、Ｍ‐ＰＢＣＨ送信８１６はレガシＰＢＣＨ送信８０８と共に送信されてよい。例えば、Ｍ‐ＰＢＣＨ送信８１６はレガシＰＢＣＨ送信８０８とは異なる区域で送信されておい。狭帯域配置を備えるＭＴＣシステムを用いるＭ‐ＰＢＣＨ送信８１６は、レガシシステムと共存してよい。例えば、図７について上記したＭ‐ＰＢＣＨ送信８１６スキームは、図８で使用されるコンフィギュレーションに適用されてよい。ダイアグラム８００は、全体的なシステムレベルのスペクトル効率を犠牲にして、ＭＴＣデバイスのアクセスレイテンシを低減してよい。
【００６８】
一例において、図７および図８について、Ｍ‐ＰＢＣＨ送信（例えば、７１６および８１６）がレガシＰＢＣＨ送信（例えば、７０８および８０８）とは異なる複数のサブフレーム内で送信されてよく、残りの複数のシンボルのためのリソース割り当てについて、いくつかのオプションが考慮されてよい。一例において、複数のＰＲＢ内の複数の残りのシンボルが使用されなくてよい。別の例において、レガシ物理ダウンリンク共有チャネル（ＰＤＳＣＨ）送信を送信すべく、複数のＰＲＢ内の複数の残りのシンボルが使用されてよい。この例は、レガシＰＤＳＣＨがアクティブの場合、Ｍ‐ＰＢＣＨ送信を搬送する対応する４つのシンボルのパンクチャを含んでよい。さらなる別の例において、複数のＭＴＣ固有のチャネル（例えば、Ｍ‐ＰＤＳＣＨ）を送信すべく、複数のＰＲＢを持つ複数の残りのシンボルが使用されてよい。
【００６９】
図９は、いくつかの実施形態による、ＭＴＣシステム情報ブロック（Ｍ‐ＳＩＢ）送信９０２のダイアグラム９００を概して示す。ＬＴＥまたはＬＴＥアドバンスト等のレガシシステムでは、システム情報ブロック（ＳＩＢ）がＰＤＳＣＨ上で送信されてよい。ＰＤＳＣＨはシステム情報無線ネットワーク一時識別子（ＳＩ‐ＲＮＴＩ）を含む対応するＰＤＣＣＨによって示されてよい。当該ＰＤＣＣＨは、システム情報送信のために使用されるトランスポート形式またはＰＲＢリソースを示してよい。一例において、ＭＴＣのためのＵＥは、狭帯域制約を有する可能性があり、レガシシステムと類似してＭＴＣ領域内でＳＩＢをスケジューリングすることは難しい可能性があるが、使い易さを所望する場合における実行可能なオプションであってよい。ＳＩＢの同一フォーマットおよびトランスポートシステムを使用せずに、ＳＩＢのそれに類似する情報を伝達すべく、Ｍ‐ＳＩＢが使用されてよい。別の例において、Ｍ‐ＳＩＢは既存のＳＩＢから情報を組み込んでよいことに加えて、追加のＭＴＣ情報を有してよい。ＵＥがＭＴＣを使用しつつ、ネットワークへのアクセスを有することを保証すべく、既存のＳＩＢからの情報が使用されてよい。
【００７０】
一例において、Ｍ‐ＳＩＢ送信９０２のための時間ドメインコンフィギュレーションは予め定義されてよい。別の例において、Ｍ‐ＳＩＢ送信９０２は上位レイヤによって構成されてよい。時間ドメインコンフィギュレーション情報は、Ｍ‐ＳＩＢ送信９０２のサブフレームインデックスおよび周期性９０８を含んでよい。
【００７１】
Ｍ‐ＳＩＢ送信９０２が予め定義される上記の例においては、Ｍ‐ＳＩＢ送信９０２はＭＴＣ領域９０４内のフレーム９０６内のサブフレーム＃ｎ内で送信されてよい。Ｍ‐ＳＩＢ送信９０２はＸ×１０ｍｓの周期性９０８を有してよい。別の例において、複数のＭ‐ＳＩＢブロック（例えば、Ｂ＞１の場合）がＸ×１０ｍｓの周期性９０８で、ＭＴＣ領域９０４内で送信されてよい。Ｍ‐ＳＩＢは、デコード性能を向上するために適用可能な第１のＭ‐ＳＩＢ送信９０２の自律ハイブリッド自動再送要求（ＡＲＱ）の再送信を使用してよい（例えば、レガシシステムの既存のＳＩＢ‐１送信に類似して）。この場合において、Ｘ×１０ｍｓ内の複数のＭ‐ＳＩＢブロックにわたり、予め定義された冗長バージョン（ＲＶ）パターンがＭ‐ＳＩＢ送信９０２のために指定されてよい。例えば、Ｂ＝４の場合、Ｍ‐ＳＩＢ送信９０２のためのＲＶパターンは０、２、３、１として予め定義されてよい。ＲＶはＭ‐ＳＩＢ送信９０２のためにインクリメンタル冗長性利得を含んでよい。例えば、第１のＭ‐ＳＩＢ送信において、ＲＶは０に設定されてよく、第２のＭ‐ＳＩＢ送信において、ＲＶが２に設定される等であってよい。
【００７２】
別の例において、時間ドメインコンフィギュレーションは複数の上位レイヤによって構成されてよく、Ｍ‐ＭＩＢ内でブロードキャストされてよい。下位互換性に寄与すべく、時間ドメインコンフィギュレーションを含むフィールドは、レガシＭＩＢ内の予備の１０ビット内でＹ２ビットを占有してよい。
【００７３】
一例において、Ｍ‐ＳＩＢ送信９０２のための周波数ドメイン情報は、共通検索空間（ＣＳＳ）を用いてＭＴＣ  ＰＤＣＣＨ（Ｍ‐ＰＤＣＣＨ）またはＥＰＤＣＣＨ内で予め定義または示されてよい。例えば、Ｍ‐ＳＩＢ送信９０２のための周波数ドメイン情報は、Ｍ‐ＳＩＢ送信９０２に割り当てられたＭＴＣ領域９０４（例えば、１．４ＭＨｚ帯域幅について６個または７個のＰＲＢ）内のサブフレームにおいて利用可能なリソースで予め定義されてよい。これにより、特にＭＴＣデバイスの狭帯域配置を考慮する場合、シグナリングオーバヘッドを大きく低減してよい。
【００７４】
図１０Ａおよび図１０Ｂは、いくつかの実施形態による、ダウンリンクにおけるＭＴＣ領域のダイアグラム（例えば、１０００Ａおよび１０００Ｂ）を概して示す。システム帯域幅全体にわたり、レガシＰＤＣＣＨ、ＰＨＩＣＨ、およびＰＣＦＩＣＨが送信されてよい。狭帯域幅を持つＭＴＣデバイスについては、ＭＴＣ領域はシステム帯域幅全体の周波数のサブセットであるので、複数のダウンリンク制御チャネルを正確に受信およびデコードすることが困難である可能性がある。この問題に対処すべく、新しいＭＴＣダウンリンク制御チャネルが追加されてよい。図１０Ａは、ＭＴＣ領域内のＭＴＣダウンリンク制御チャネル設計を示す。一例において、ＭＴＣダウンリンク制御チャネルまたはＭＴＣ制御領域１００４Ａは、ＭＴＣ領域内の第１のＫ個のＯＦＤＭシンボルにわたってよく、一方でＭＴＣデータチャネル１００６ＡはＭＴＣ領域内の複数の残りのＯＦＤＭシンボルを占有してよい。換言すると、ＭＴＣ制御領域１００４Ａは、複数のＭＴＣデータチャネル１００６Ａと時分割多重化されてよい。ＭＴＣ制御領域１００４ＡおよびＭＴＣデータチャネル１００６は、レガシ制御領域１００２と時分割で多重化されてよい。ダイアグラム１０００Ｂ中、ＭＴＣ制御領域１００４Ｂおよび複数のＭＴＣデータチャネル１００６Ｂは、ＭＴＣ領域内の周波数ドメインにおいて多重化されてよい。ＭＴＣ制御領域１００４ＢおよびＭＴＣデータチャネル１００６Ｂは、レガシ制御領域１００２とも時分割で多重化されてよい。
【００７５】
一例において、Ｍ‐ＰＣＦＩＣＨは制御チャネルにおいて、レガシＬＴＥまたはＬＴＥアドバンストネットワークに類似するものとみなしてよい。単純な例において、ＬＴＥまたはＬＴＥアドバンストネットワークにおける既存のＰＣＦＩＣＨ設計が、Ｍ‐ＰＣＦＩＣＨ設計（例えば、チャネルコーディング、変調スキーム、レイヤマッピングとプリコーダ、またはリソースマッピング）に使用されてよい。特に、１６個のＭ‐ＰＣＦＩＣＨシンボルが、１組が４個のシンボルから成る４組にグループ化されてよく、４組の各シンボルは１つのリソース要素グループに割り当てられてよい。
【００７６】
別の例において、Ｍ‐ＰＤＣＣＨに割り当てられるＯＦＤＭシンボルの数またはＭ‐ＰＤＳＣＨ送信のための開始シンボルが予め定義されてよい。さらなる別の例において、その数および開始シンボルは複数の上位レイヤによって構成されてよい。第２の例において、Ｍ‐ＰＣＦＩＣＨは制御チャネル設計において必要でなくてよい。一例において、Ｍ‐ＰＣＦＩＣＨ送信を送信することには、ＭＴＣ物理ダウンリンク制御チャネル（Ｍ‐ＰＤＣＣＨ）に割り当てられるＯＦＤＭシンボルの数、およびＭＴＣ物理ダウンリンク共有チャネル（Ｍ‐ＰＤＳＣＨ）送信のための開始シンボルが予め定義されていないことを判断することを含んでよい。
【００７７】
一例において、ハイブリッドＡＲＱ肯定応答／否定応答（ＡＣＫ／ＮＡＣＫ）を搬送するために、Ｍ‐ＰＨＩＣＨがサポートされてよく、当該肯定応答／否定応答は、ｅＮＢがＰＵＳＣＨ上で送信を正しく受信したかどうかを示してよい。Ｍ‐ＰＨＩＣＨコンフィギュレーションは、Ｍ‐ＰＨＩＣＨ送信の持続時間を含んでよい。別の例において、複数のＭ‐ＰＨＩＣＨグループが予め定義されてよい。さらなる別の例において、複数のＭ‐ＰＨＩＣＨグループが複数の上位レイヤによって構成されてよい。例えば、コンフィギュレーション情報は、Ｍ‐ＳＩＢ内でブロードキャストされてよい。Ｍ‐ＰＨＩＣＨコンフィギュレーションは、レガシＬＴＥまたはＬＴＥアドバンストネットワーク内の既存のＰＨＩＣＨのためのコンフィギュレーションに従ってよい。レガシネットワークを使用する例においては、Ｍ‐ＰＨＩＣＨがオーバヘッドを節約すべく、ＭＩＢ内で３ビットＰＨＩＣＨコンフィギュレーションが再利用されてよい。別の例において、Ｍ‐ＰＨＩＣＨコンフィギュレーションはＭＩＢ内で予備の１０ビット内で示されてよく、レガシＬＴＥまたはＬＴＥアドバンストシステム内のＰＨＩＣＨおよびＭＴＣシステム内のＭ‐ＰＨＩＣＨのための別箇のコンフィギュレーションがシグナリングされてよい。
【００７８】
別の例において、レガシＬＴＥまたはＬＴＥアドバンスト仕様における既存のＰＨＩＣＨ設計が、Ｍ‐ＰＨＩＣＨ設計（例えば、チャネルコーディング、変調スキーム、レイヤマッピングとプリコーダ、またはリソースマッピング）のために再利用されてよい。この例においては、１つのＭ‐ＰＨＩＣＨグループのための１２個のシンボルが、１組が３個のシンボルから成る４組にグループ化されてよく、４組の各シンボルは１つのリソース要素グループに割り当てられてよい。別の例において、ＭＴＣ制御チャネル設計においてＭ‐ＰＨＩＣＨは除外（例えば、不要）されてよい。Ｍ‐ＰＨＩＣＨ機能がＭ‐ＰＤＣＣＨによって置換される場合、Ｍ‐ＰＨＩＣＨは除外されてよい。
【００７９】
一例において、Ｍ‐ＰＤＣＣＨ設計のために、ＭＴＣ制御領域設計からの既存のＰＤＣＣＨ設計が再利用されてよい。Ｍ‐ＰＤＣＣＨ設計は、レガシダウンリンク制御情報（ＤＣＩ）フォーマット、チャネルコーディング、変調、レイヤマッピングとプリコーディング、リソースマッピング等を含んでよい。別の例において、共通検索空間（ＣＳＳ）およびＵＥ固有の検索空間（ＵＳＳ）のための既存のハッシュテーブルがＭ‐ＰＤＣＣＨ設計に再利用されてよい。さらなる別の例において、ＭＴＣ制御領域設計からの、既存のＥＰＤＣＣＨがＭ‐ＰＤＣＣＨ設計に再利用されてよい。
【００８０】
ＭＴＣ制御領域設計の例においては、ＭＴＣリソース要素グループ（Ｍ‐ＲＥＧ）が、現在のＬＴＥまたはＬＴＥアドバンスト仕様における既存のＲＥＧに類似して定義されてよい。ＭＴＣ制御領域は、ＰＳＳ／ＳＳＳまたはＣＳＩ‐ＲＳ送信と競合されてよい。Ｍ‐ＲＥＧの設計において、競合を処理すべく、更新されたリソースマッピングルールが考慮されてよい。例えば、ＭＴＣ制御領域がＰＳＳ／ＳＳＳと競合する場合、Ｍ‐ＲＥＧは、ＰＳＳ／ＳＳＳ送信に割り当てられていない複数のリソース要素のために定義されてよい。ＭＴＣ制御領域がＣＳＩ‐ＲＳ送信と競合する場合、Ｍ‐ＲＥＧは複数のＣＳＩ‐ＲＳコンフィギュレーションに使用される複数のリソース要素のために定義されなくてよい。
【００８１】
図１１は、いくつかの実施形態による、アップリンクにおけるＭＴＣ領域のダイアグラム１１００を概して示す。一例において、ＭＴＣ  ＰＲＡＣＨ（Ｍ‐ＰＲＡＣＨ）１１０６、ＭＴＣ  ＰＵＳＣＨ（Ｍ−ＰＵＳＣＨ）１１１０、またはＭＴＣ  ＰＵＣＣＨ（Ｍ‐ＰＵＣＣＨ）１１０８リソース割り当ては、例えば１．４ＭＨｚ帯域幅のための既存のＬＴＥまたはＬＴＥアドバンストタイプの設計に従ってよい。一例において、仕様化の影響および実装コストを最小化すべく、Ｍ‐ＰＲＡＣＨ１１０６、Ｍ‐ＰＵＣＣＨ１１０８、またはＭ−ＰＵＳＣＨ１１１０を処理する物理レイヤは、ＬＴＥまたはＬＴＥアドバンストシステムに属するレガシＰＲＡＣＨ１１０４、レガシＰＵＣＣＨ１１０２、またはレガシＰＵＳＣＨ（不図示）のための既存設計に従ってよい。
【００８２】
図１２は、いくつかの実施形態による、ライセンスされた帯域幅でＭＴＣユーザ機器（ＵＥ）を使用するための方法１２００を示すフローチャートを概して示す。一例において、方法１２００は、進化型ノードＢ（ｅＮＢ）の回路によって行われる通信用にユーザ機器（ＵＥ）を構成するための方法１２００を含んでよい。方法１２００は、ｅＮＢから、ライセンスされた帯域上で物理ダウンリンク制御チャネル（ＰＤＣＣＨ）送信をブロードキャストするための処理１２０２を含んでよい。方法１２００は、ｅＮＢからＵＥへ、マシンタイプ通信（ＭＴＣ）ＰＢＣＨ（Ｍ‐ＰＢＣＨ）送信と多重化された物理ブロードキャストチャネル（ＰＢＣＨ）送信を送信するための処理１２０４を含んでよい。当該Ｍ‐ＰＢＣＨ送信は、ライセンスされた帯域のＭＴＣ領域内のＭＴＣマスタ情報ブロック（Ｍ‐ＭＩＢ）を含み、当該ＭＴＣ領域はライセンスされた帯域の周波数のサブセットを含む。方法１２００は、ｅＮＢからＵＥへ、ダウンリンクにおいてＭＴＣ領域上で第１のデータ送信を送信するための処理１２０６を含んでよい。
【００８３】
図１３は、マシン１３００のブロック図の例を概して示し、マシン１３００上に、いくつかの実施形態による、本明細書に記載の技術（例えば、手法）のうちの任意の１または複数が実行可能である。代替的な実施形態においては、マシン１３００はスタンドアロンデバイスとして動作してよく、または他の複数のマシンに接続（例えば、ネットワーク接続）されてよい。ネットワーク接続された展開においては、マシン１３００は、サーバマシン、クライアントマシン、またはサーバ‐クライアントネットワーク環境内ではそれら両方の容量で動作してよい。一例において、マシン１３００はピアツーピア（Ｐ２Ｐ）（または他の分散）ネットワーク環境におけるピアマシンとして動作しよい。マシン１３００は、パーソナルコンピュータ（ＰＣ）、タブレットＰＣ、セットトップボックス（ＳＴＢ）、携帯用情報端末（ＰＤＡ）、携帯電話、ウェブアプライアンス、ネットワークルータ、スイッチ若しくはブリッジ、またはそのマシンによって実行されるアクションを指定する命令（シーケンシャルまたはそれ以外）を実行可能な任意のマシンであってよい。さらに、単一のマシンのみが示されているものの、用語「マシン」は、クラウドコンピューティング、ソフトウェアアズアサービス（ＳａａＳ）、他のコンピュータクラスタ構成等、本明細書に記載の手法のうちの任意の１または複数を実行するための命令セット（または複数のセット）を個別にまたは共同して実行する任意のマシンの集まりを包含するものとしても解釈されるべきである。
【００８４】
本明細書に記載の例としては、ロジックまたは複数のコンポーネント、モジュール、若しくはメカニズムを含んでよく、またはそれらの上で動作してよい。モジュールとは、動作時に指定された動作を実行可能な有形の存在（例えばハードウェア）である。モジュールは、ハードウェアを含む。一例において、ハードウェアは、特定の動作を実行するよう具体的に構成（例えば、ハードワイヤード）されてよい。一例において、ハードウェアは、複数の構成可能な実行ユニット（例えば、複数のトランジスタ、複数の回路等）、および複数の命令を含むコンピュータ可読媒体を含んでよく、コンピュータ可読媒体において、当該命令は当該実行ユニットを動作時に特定の動作を実行するよう構成する。当該構成する段階は、複数の実行ユニットまたは読み込みメカニズムの命令下で行われてよい。従って、デバイスの動作時、複数の実行ユニットはコンピュータ可読媒体に通信可能に連結される。この例においては、複数の実行ユニットは、１つのモジュールより多い複数のモジュールの１メンバであってよい。例えば、動作の際、複数の実行ユニットは、ある時点においては第１のモジュールを実装するよう、第１の命令セットによって構成されてよく、第２のモジュールを実装するよう、第２の命令セットによって再構成されてよい。
【００８５】
マシン（例えば、コンピュータシステム）１３００は、ハードウェアプロセッサ１３０２（例えば、中央処理装置（ＣＰＵ））、グラフィック処理ユニット（ＧＰＵ）、ハードウェアプロセッサコア、またはこれらの任意の組み合わせ）、メインメモリ１３０４およびスタティックメモリ１３０６を含んでよく、これらのうちの一部または全部はインターリンク（例えば、バス）１３０８を介して互いに通信してよい。マシン１３００はディスプレイユニット１３１０、英数字入力デバイス１３１２（例えば、キーボード）、およびユーザインタフェース（ＵＩ）ナビゲーションデバイス１３１４（例えば、マウス）をさらに含んでよい。一例において、ディスプレイユニット１３１０、英数字入力デバイス１３１２およびＵＩナビゲーションデバイス１３１４はタッチスクリーンディスプレイであってよい。マシン１３００は、ストレージデバイス（例えば、ドライブユニット）１３１６、信号生成デバイス１３１８（例えば、スピーカ）、ネットワークインタフェースデバイス１３２０、および全地球測位システム（ＧＰＳ）センサ、コンパス、加速度計若しくは他のセンサ等の１または複数のセンサ１３２１を追加で含んでよい。マシン１３００は、１または複数の周辺機器デバイス（例えば、プリンタ、カードリーダ等）と通信または制御するためのシリアル（例えば、ユニバーサルシリアルバス（ＵＳＢ））、パラレル、または他の無線若しくは有線（例えば、赤外線（ＩＲ）、近距離無線通信（ＮＦＣ）等）接続等の出力コントローラ１３２８を含んでよい。
【００８６】
ストレージデバイス１３１６は、非一時的なマシン可読媒体１３２２を含んでよく、非一時的なマシン可読媒体１３２２上に、本明細書に記載の技術若しくは機能のうちの任意の１または複数のものを具現化する、またはそれらによって利用される、複数のデータ構造若しくは命令１３２４（例えば、ソフトウェア）から成る１または複数のセットが格納される。複数の命令１３２４はまた、マシン１３００によるそれらの実行中、メインメモリ１３０４内、スタティックメモリ１３０６内、またはハードウェアプロセッサ１３０２内に全部または少なくとも部分的に存在してよい。一例において、ハードウェアプロセッサ１３０２、メインメモリ１３０４、スタティックメモリ１３０６、またはストレージデバイス１３１６等の１または任意の組み合わせはマシン可読媒体を構成してよい。
【００８７】
マシン可読媒体１３２２は単一の媒体として示されているものの、用語「マシン可読媒体」とは、１または複数の命令１３２４を格納するよう構成された単一の媒体または複数の媒体（例えば、中央化された若しくは分散化されたデータベース、および／または関連付けられた複数のキャッシュおよびサーバ）を含んでよい。
【００８８】
用語「マシン可読媒体」とは、マシン１３００によって実行されるための複数の命令を格納、エンコード、若しくは搬送可能な任意の媒体を含んでよく、当該複数の命令はマシン１３００に対し、本開示の技術のうちの任意の１または複数を実行させるものである。または用語「マシン可読媒体」とは、そのような複数の命令によって使用される、若しくは当該命令に関連付けられる複数のデータ構造を格納、エンコード若しくは搬送可能な任意の媒体を含んでよい。非限定的なマシン可読媒体の例としては、ソリッドステートメモリ、並びに光学媒体および磁気媒体が含まれてよい。一例において、大容量マシン可読媒体は不変の（例えば静止）質量を有する複数のパーティクルを伴うマシン可読媒体を備える。従って、大容量マシン可読媒体は、一時的な伝播信号ではない。大容量マシン可読媒体の具体例としては、半導体メモリデバイス（例えば、電気的プログラマブルリードオンリメモリ（ＥＰＲＯＭ）、電気的消去可能プログラマブルリードオンリメモリ（ＥＥＰＲＯＭ））およびフラッシュメモリデバイス等の不揮発性メモリ、内蔵ハードディスクおよびリムーバルディスク等の磁気ディスク、光磁気ディスク、並びにＣＤ‐ＲＯＭおよびＤＶＤ‐ＲＯＭディスクを含んでよい。
【００８９】
複数の命令１３２４はさらに、複数の転送プロトコル（例えば、フレームリレー、インターネットプロトコル（ＩＰ）、送信制御プロトコル（ＴＣＰ）、ユーザデータグラムプロトコル（ＵＤＰ）、ハイパーテキスト転送プロトコル（ＨＴＴＰ）等）のうちの任意の１つを利用するネットワークインタフェースデバイス１３２０を介して、伝送媒体を用いる通信ネットワーク１３２６を経由して送信または受信されてよい。通信ネットワークの例としては、とりわけ、ローカルエリアネットワーク（ＬＡＮ），ワイドエリアネットワーク（ＷＡＮ）、パケットデータネットワーク（例えばインターネット）、携帯電話ネットワーク（例えばセルラネットワーク）、プレーンオールドテレフォン（ＰＯＴＳ）ネットワーク、および無線データネットワーク（例えば、Ｗｉ−Ｆｉ（登録商標）として知られるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１規格ファミリ、ＷｉＭａｘ（登録商標）として知られるＩＥＥＥ８０２．１６規格ファミリ）、ＩＥＥＥ８０２．１５．４規格ファミリ、ピアツーピア（Ｐ２Ｐ）ネットワークが含まれてよい。一例において、ネットワークインタフェースデバイス１３２０は、１または複数の物理ジャック（例えば、イーサネット（登録商標）、同軸またはフォンジャック）、または通信ネットワーク１３２６に接続する１または複数のアンテナを含んでよい。一例において、ネットワークインタフェースデバイス１３２０は、単入力多出力（ＳＩＭＯ）、多入力多出力（ＭＩＭＯ）、または多入力単出力（ＭＩＳＯ）技術のうちの少なくとも１つを使用して無線通信するための複数のアンテナを含んでよい。用語「伝送媒体」は、マシン１３００による実行のための複数の命令を格納、エンコード、または搬送可能な任意の無形の媒体を含むと解釈されるべきであり、用語「伝送媒体」は、そのようなソフトウェアの通信を容易化するためのデジタル若しくはアナログの通信信号または他の無形の媒体を含む。
［様々な特記事項および例］
【００９０】
これらの非限定的な例の各々は、それ自体で独立してよく、または他の複数の例のうちの１または複数を備えた様々な並べ替え若しくは組み合わせにおいて結合されてよい。
【００９１】
例１は、進化型ノードＢ（ｅＮＢ）によって具現化される主題を含み、上記ｅＮＢはライセンスされた帯域上でユーザ機器（ＵＥ）と通信するよう構成され、上記ｅＮＢは、上記ライセンスされた帯域上で物理ダウンリンク制御チャネル（ＰＤＣＣＨ）送信を送信し、上記ＵＥに、マシンタイプ通信（ＭＴＣ）システム情報ブロック（Ｍ‐ＳＩＢ）を送信し、上記Ｍ‐ＳＩＢは上記ライセンスされた帯域のＭＴＣ領域を構成するためのコンフィギュレーション情報を含み、上記ＭＴＣ領域は上記ライセンスされた帯域の周波数のサブセットを含み、上記ＵＥに、ダウンリンクにおいて上記ＭＴＣ領域上で第１のデータ送信を送信し、上記ＵＥから、アップリンクにおいて上記ＭＴＣ領域上で第２のデータ送信を受信する、よう構成された回路を備える。
【００９２】
例２において、例１の主題はオプションで、上記第１のデータ送信を送信するために、上記回路は、第３のデータ送信と多重化された上記第１のデータ送信を送信するよう構成されていることを含み得る。
【００９３】
例３において、例１〜２の１または任意の組み合わせに係る主題はオプションで、上記第１のデータ送信および上記第３のデータ送信は時分割で多重化されることを含み得る。 
【００９４】
例４において、例１〜３の１または任意の組み合わせに係る主題はオプションで、上記第１のデータ送信および上記第３のデータ送信は周波数分割で多重化されることを含み得る。
【００９５】
例５において、例１〜４の１または任意の組み合わせに係る主題はオプションで、上記第２のデータ送信を受信するために、上記回路は第４のデータ送信と多重化された上記第２のデータ送信を受信するよう構成されることを含み得る。
【００９６】
例６において、例１〜５の１または任意の組み合わせに係る主題はオプションで、上記第１の送信を送信するために、上記回路はスロット内ホッピングを使用して上記第１のデータ送信を送信するよう構成されることを含み得る。
【００９７】
例７において、例１〜６の１または任意の組み合わせに係る主題はオプションで、上記第２のデータ送信を受信するために、上記回路は、物理アップリンク制御チャネル（ＰＵＣＣＨ）または物理ランダムアクセスチャネル（ＰＲＡＣＨ）上の複数の送信と周波数分割で多重化された上記第２のデータ送信を受信するよう構成されることを含み得る。
【００９８】
例８において、例１〜７の１または任意の組み合わせに係る主題はオプションで、上記第２のデータ送信を受信するために、上記回路は、スロット内ホッピング周波数送信内で上記第２のデータ送信を受信するようさらに構成されることを含み得る。
【００９９】
例９において、例１〜８の１または任意の組み合わせに係る主題はオプションで、上記スロット内ホッピング周波数送信は、固定のホッピングパターンを含むことを含み得る。
【０１００】
例１０において、例１〜９の１または任意の組み合わせに係る主題はオプションで、上記固定のホッピングパターンは、物理セル識別に関する情報を含むことを含み得る。
【０１０１】
例１１において、例１〜１０の１または任意の組み合わせに係る主題はオプションで、上記固定のホッピングパターンはサブフレームインデックスに関する情報を含むことを含み得る。
【０１０２】
例１２において、例１〜１１の１または任意の組み合わせに係る主題はオプションで、上記ＭＴＣ領域が予め定義されることを含み得る。
【０１０３】
例１３において、例１〜１２の１または任意の組み合わせに係る主題はオプションで、上記Ｍ‐ＳＩＢは、上記ＵＥの上記ＭＴＣ領域の時間および周波数のリソース情報を含むことを含み得る。
【０１０４】
例１４において、例１〜１３の１または任意の組み合わせに係る主題はオプションで、上記回路は、上記ＵＥに、アップリンクＭＴＣ領域およびダウンリンクＭＴＣ領域のための複数の別箇のシグナリングコンフィギュレーションを送信するようさらに構成されることを含み得る。
【０１０５】
例１５において、例１〜１４の１または任意の組み合わせに係る主題はオプションで、上記回路は、上記ＵＥに、アップリンクＭＴＣ領域およびダウンリンクＭＴＣ領域のための共同シグナリングコンフィギュレーションを送信するようさらに構成されることを含み得る。
【０１０６】
例１６において、例１〜１５の１または任意の組み合わせに係る主題はオプションで、上記回路は、上記ＵＥに、プライマリ同期信号およびセカンダリ同期信号（ＰＳＳ／ＳＳＳ）を送信するようさらに構成されることを含み得る。
【０１０７】
例１７において、例１〜１６の１または任意の組み合わせに係る主題はオプションで、上記回路は、リソース要素を上記ＭＴＣ領域内で上記ＰＳＳ／ＳＳＳの周囲でマッピングするようレートマッチングするようさらに構成されることを含み得る。
【０１０８】
例１８において、例１〜１７の１または任意の組み合わせに係る主題はオプションで、上記回路は、上記ＵＥに、チャネル状態情報参照信号（ＣＳＩ‐ＲＳ）を送信するようさらに構成されることを含み得る。
【０１０９】
例１９において、例１〜１８の１または任意の組み合わせに係る主題はオプションで、上記回路は、リソース要素を上記ＭＴＣ領域内で上記ＣＳＩ‐ＲＳ周囲でマッピングするようレートマッチングするようさらに構成されることを含み得る。
【０１１０】
例２０において、例１〜１９の１または任意の組み合わせに係る主題はオプションで、上記回路は、上記ＭＴＣ領域内で上記ＣＳＩ‐ＲＳと複数の送信との間の複数の競合を回避するようさらに構成されることを含み得る。
【０１１１】
例２１において、例１〜２０の１または任意の組み合わせに係る主題はオプションで、上記回路は上記ＵＥにセル固有の参照信号を送信するようさらに構成されることを含み得る。
【０１１２】
例２２において、例１〜２１の１または任意の組み合わせに係る主題はオプションで、上記セル固有の参照信号は、上記ＭＴＣ領域内のマルチメディアブロードキャスト単一周波数ネットワークサブフレーム内で送信されることを含み得る。
【０１１３】
例２３において、例１〜２２の１または任意の組み合わせに係る主題はオプションで、上記セル固有の参照信号は、ＭＴＣランダムシードを使用するリソースマッピングパターンを含むことを含み得る。
【０１１４】
例２４において、例１〜２３の１または任意の組み合わせに係る主題はオプションで、上記回路は、上記ＵＥに、ＭＴＣマスタ情報ブロック（Ｍ‐ＭＩＢ）を送信するようさらに構成されることを含み得る。
【０１１５】
例２５において、例１〜２４の１または任意の組み合わせに係る主題はオプションで、上記Ｍ‐ＭＩＢを送信するために、上記回路は、上記ＭＴＣ領域内のフレームのサブフレーム内で上記Ｍ‐ＭＩＢを送信するようさらに構成されることを含み得る。
【０１１６】
例２６において、例１〜２５の１または任意の組み合わせに係る主題はオプションで、上記Ｍ‐ＭＩＢは、上記ＵＥの時間および周波数のリソース情報を含むことを含み得る。
【０１１７】
例２７において、例１〜２６の１または任意の組み合わせに係る主題はオプションで、上記Ｍ‐ＭＩＢを送信するために、上記回路は、ＭＴＣ物理ブロードキャストチャネル（Ｍ‐ＰＢＣＨ）を使用して上記Ｍ‐ＭＩＢを送信するようさらに構成されることを含み得る。
【０１１８】
例２８において、例１〜２７の１または任意の組み合わせに係る主題はオプションで、上記回路は、サブフレーム内でＭＴＣ物理ブロードキャストチャネル（Ｍ‐ＰＢＣＨ）送信を送信するようさらに構成されることを含み得る。
【０１１９】
例２９において、例１〜２８の１または任意の組み合わせに係る主題はオプションで、上記サブフレームは、プライマリ同期信号およびセカンダリ同期信号（ＰＳＳ／ＳＳＳ）に使用されないサブフレームを含むことを含み得る。
【０１２０】
例３０において、例１〜２９の１または任意の組み合わせに係る主題はオプションで、上記回路は、上記ＵＥに、第２のサブフレームを送信するようさらに構成され、上記第２のサブフレームは、上記Ｍ‐ＰＢＣＨ送信とは異なる物理ブロードキャストチャネル（ＰＢＣＨ）送信を含むことを含み得る。
【０１２１】
例３１において、例１〜３０の１または任意の組み合わせに係る主題はオプションで、上記ＰＢＣＨ送信および上記Ｍ‐ＰＢＣＨ送信は、上記サブフレームと上記第２のサブフレームとの間で時分割多重化されており、上記ＰＢＣＨ送信および上記Ｍ‐ＰＢＣＨ送信は同一リソースに割り当てられることを含み得る。
【０１２２】
例３２において、例１〜３１の１または任意の組み合わせに係る主題はオプションで、上記回路は、上記サブフレーム内の上記Ｍ‐ＰＢＣＨ送信とは異なる物理ブロードキャストチャネル（ＰＢＣＨ）送信を送信するようさらに構成されることを含み得る。
【０１２３】
例３３において、例１〜３２の１または任意の組み合わせに係る主題はオプションで、上記ＰＢＣＨ送信および上記Ｍ‐ＰＢＣＨ送信は上記サブフレーム内で時分割多重化されていることを含み得る。
【０１２４】
例３４において、例１〜３３の１または任意の組み合わせに係る主題はオプションで、上記回路は、上記ＵＥに、ＭＴＣ物理制御フォーマットインジケータチャネル（ＰＣＦＩＣＨ）送信を送信するようさらに構成されることを含み得る。
【０１２５】
例３５において、例１〜３４の１または任意の組み合わせに係る主題はオプションで、上記ＭＴＣ  ＰＣＦＩＣＨ送信を送信するために、上記回路は、上記ＭＴＣ物理ダウンリンク制御チャネル（Ｍ‐ＰＤＣＣＨ）に割り当てられた直交周波数分割多重（ＯＦＤＭ）シンボルの数およびＭＴＣ物理ダウンリンク共有チャネル（Ｍ‐ＰＤＳＣＨ）送信のための開始シンボルが予め定義されていないことを判断するようさらに構成されることを含み得る。
【０１２６】
例３６において、例１〜３５の１または任意の組み合わせに係る主題はオプションで、上記回路は、上記ＵＥに、物理ハイブリッド自動再送要求（ＡＲＱ）インジケータチャネルＭ‐ＰＨＩＣＨ送信を送信するようさらに構成されることを含み得る。
【０１２７】
例３７において、例１〜３６の１または任意の組み合わせに係る主題はオプションで、上記Ｍ‐ＰＨＩＣＨを送信するために、上記回路は上記ＵＥに、システム情報ブロック（ＳＩＢ）またはマスタ情報ブロック（ＭＩＢ）内のコンフィギュレーション情報を送信するようさらに構成されることを含み得る。
【０１２８】
例３８において、例１〜３７の１または任意の組み合わせに係る主題はオプションで、上記Ｍ‐ＰＨＩＣＨを送信するために、上記回路はＭＴＣ物理ダウンリンク制御チャネル（Ｍ‐ＰＤＣＣＨ）が上記Ｍ‐ＰＨＩＣＨ機能に置き換わっていないことを判断するようさらに構成されることを含み得る。
【０１２９】
例３９において、例１〜３８の１または任意の組み合わせに係る主題はオプションで、上記回路は上記ＵＥに上記ＭＴＣ領域内でＭＴＣ物理ダウンリンク制御チャネル（Ｍ‐ＰＤＣＣＨ）送信を送信するようさらに構成されることを含み得る。
【０１３０】
例４０において、例１〜３９の１または任意の組み合わせに係る主題はオプションで、上記Ｍ‐ＰＤＣＣＨは、既存の拡張型物理ダウンリンク制御チャネル（ＥＰＤＣＣＨ）を含むことを含み得る。
【０１３１】
例４１において、例１〜４０の１または任意の組み合わせに係る主題はオプションで、上記回路は、上記ＵＥからＭＴＣ物理ランダムアクセスチャネル（Ｍ‐ＰＲＡＣＨ）送信を受信するようさらに構成されることを含み得る。
【０１３２】
例４２において、例１〜４１の１または任意の組み合わせに係る主題はオプションで、上記Ｍ‐ＰＲＡＣＨ送信は、上記ＭＴＣ領域内でＭＴＣ物理アップリンク制御チャネル（Ｍ‐ＰＵＣＣＨ）送信およびＭＴＣ物理アップリンク共有チャネル（Ｍ−ＰＵＳＣＨ）送信と時分割多重化されることを含んでよい。
【０１３３】
例４３において、例１〜４２の１または任意の組み合わせに係る主題はオプションで、上記ＭＴＣ領域内で上記Ｍ‐ＰＵＣＣＨ送信および上記Ｍ−ＰＵＳＣＨ送信は周波数分割多重化されることを含んでよい。
【０１３４】
例４４は、ライセンスされた帯域上でユーザ機器（ＵＥ）と通信するために構成された進化型ノードＢ（ｅＮＢ）によって具現化あれる主題を含み、上記ｅＮＢは、上記ライセンスされた帯域上で物理ダウンリンク制御チャネル（ＰＤＣＣＨ）送信を送信し、上記ＵＥに、マシンタイプ通信（ＭＴＣ）マスタ情報ブロック（Ｍ‐ＭＩＢ）を送信し、上記Ｍ‐ＭＩＢは上記ライセンスされた帯域のＭＴＣ領域を構成するためのコンフィギュレーション情報を含み、上記ＭＴＣ領域は上記ライセンスされた帯域の周波数のサブセットを含み、上記ＵＥに、ダウンリンクにおいて上記ＭＴＣ領域上で第１のデータ送信を送信し、上記ＵＥから、アップリンクにおいて上記ＭＴＣ領域上で第２のデータ送信を受信するよう構成された回路を備える、ｅＮＢである。
【０１３５】
例４５において、例４４の主題はオプションで、上記回路は上記ＵＥにＭＴＣシステム情報ブロック（Ｍ‐ＳＩＢ）を送信するようさらに構成されることを含み得る。
【０１３６】
例４６において、例４４〜４５の１または任意の組み合わせに係る主題はオプションで、上記Ｍ‐ＳＩＢを送信するために、上記回路は、上記ＭＴＣ領域内のフレームのサブフレーム内で上記Ｍ‐ＳＩＢを送信するようさらに構成されていることを含み得る。
【０１３７】
例４７において、例４４〜４６の１または任意の組み合わせに係る主題はオプションで、上記Ｍ‐ＳＩＢは上記ＵＥの時間および周波数のリソース情報を含むことを含み得る。
【０１３８】
例４８は、無線スペクトルのマシンタイプ通信（ＭＴＣ）ＭＴＣ領域上で動作するよう構成されたユーザ機器（ＵＥ）によって具現化される主題を含み、上記ユーザ機器はトランシーバを備え、上記トランシーバは、ライセンスされた帯域上で、進化型ノードＢ（ｅＮＢ）から、物理ダウンリンク制御チャネル（ＰＤＣＣＨ）送信を受信し、上記ｅＮＢから、ＭＴＣシステム情報ブロック（Ｍ‐ＳＩＢ）を受信し、上記Ｍ‐ＳＩＢは上記ＭＴＣ領域を構成するためのコンフィギュレーション情報を含み、ダウンリンクにおいて、上記ＭＴＣ領域上で第１のデータ送信を受信し、上記ＭＴＣ領域は上記ライセンスされた帯域の周波数のサブセットを含み、アップリンクにおいて、上記ＭＴＣ領域上で第２のデータ送信を送信するよう構成される、ＵＥである。
【０１３９】
例４９において、例４８の主題はオプションで、上記第１のデータ送信を受信するために、上記トランシーバは第３のデータ送信と多重化された上記第１のデータ送信を受信するよう構成されることを含み得る。
【０１４０】
例５０において、例４８〜４９の１または任意の組み合わせに係る主題はオプションで、上記第１のデータ送信および上記第３のデータ送信は時分割で多重化されることを含み得る。
【０１４１】
例５１において、例４８〜５０の１または任意の組み合わせに係る主題はオプションで、上記第１のデータ送信および上記第３のデータ送信は周波数分割で多重化されることを含み得る。
【０１４２】
例５２において、例４８〜５１の１または任意の組み合わせに係る主題はオプションで、上記第２のデータ送信を送信するために、上記トランシーバは第４のデータ送信と多重化された上記第２のデータ送信を送信するよう構成されることを含み得る。
【０１４３】
例５３において、例４８〜５２の１または任意の組み合わせに係る主題はオプションで、上記第１のデータ送信を受信するために、上記トランシーバはスロット内ホッピングを使用して上記第１のデータ送信を受信するよう構成されることを含み得る。
【０１４４】
例５４において、例４８〜５３の１または任意の組み合わせに係る主題はオプションで、上記第２のデータ送信を送信するために、上記トランシーバは物理アップリンク制御チャネル（ＰＵＣＣＨ）または物理ランダムアクセスチャネル（ＰＲＡＣＨ）上の複数の送信と周波数分割で多重化された上記第２のデータ送信を送信するよう構成されることを含み得る。
【０１４５】
例５５において、例４８〜５４の１または任意の組み合わせに係る主題はオプションで、上記第２のデータ送信を送信するために、上記トランシーバはスロット内ホッピング周波数送信内で上記第２のデータ送信を送信するようさらに構成されることを含み得る。
【０１４６】
例５６において、例４８〜５５の１または任意の組み合わせに係る主題はオプションで、スロット内ホッピング周波数送信は固定のホッピングパターンを含むことを含み得る。
【０１４７】
例５７において、例４８〜５６の１または任意の組み合わせに係る主題はオプションで、上記固定のホッピングパターンは物理セル識別に関する情報を含むことを含み得る。
【０１４８】
例５８において、例４８〜５７の１または任意の組み合わせに係る主題はオプションで、上記固定のホッピングパターンはサブフレームインデックスに関する情報を含むことを含み得る。
【０１４９】
例５９において、例４８〜５８の１または任意の組み合わせに係る主題はオプションで、上記ＭＴＣ領域は予め定義されることを含み得る。
【０１５０】
例６０において、例４８〜５９の１または任意の組み合わせに係る主題はオプションで、上記ＳＩＢは上記ＵＥの上記ＭＴＣ領域の時間および周波数のリソース情報を含むことを含み得る。
【０１５１】
例６１において、例４８〜６０の１または任意の組み合わせに係る主題はオプションで、上記トランシーバは上記ｅＮＢから、アップリンクＭＴＣ領域およびダウンリンクＭＴＣ領域のための複数の別箇のシグナリングコンフィギュレーションを受信するようさらに構成されることを含み得る。
【０１５２】
例６２において、例４８〜６１の１または任意の組み合わせに係る主題はオプションで、上記トランシーバは上記ｅＮＢから、アップリンクＭＴＣ領域およびダウンリンクＭＴＣ領域のための共同シグナリングコンフィギュレーションを受信するようさらに構成されることを含み得る。
【０１５３】
例６３において、例４８〜６２の１または任意の組み合わせに係る主題はオプションで、上記トランシーバは上記ｅＮＢから、プライマリ同期信号およびセカンダリ同期信号（ＰＳＳ／ＳＳＳ）を受信するようさらに構成されることを含み得る。
【０１５４】
例６４において、例４８〜６３の１または任意の組み合わせに係る主題はオプションで、上記トランシーバはリソース要素を上記ＭＴＣ領域内で上記ＰＳＳ／ＳＳＳの周囲でマッピングするようレートマッチングするようさらに構成されることを含み得る。
【０１５５】
例６５において、例４８〜６４の１または任意の組み合わせに係る主題はオプションで、上記トランシーバは上記ｅＮＢからチャネル状態情報参照信号（ＣＳＩ‐ＲＳ）を受信するようさらに構成されることを含み得る。
【０１５６】
例６６において、例４８〜６５の１または任意の組み合わせに係る主題はオプションで、上記トランシーバはリソース要素を上記ＭＴＣ領域内で上記ＣＳＩ‐ＲＳの周囲でマッピングするようレートマッチングするようさらに構成されることを含み得る。
【０１５７】
例６７において、例４８〜６６の１または任意の組み合わせに係る主題はオプションで、上記トランシーバは上記ＭＴＣ領域内で上記ＣＳＩ‐ＲＳと複数の送信との間の複数の競合を回避するようさらに構成されることを含み得る。
【０１５８】
例６８において、例４８〜６７の１または任意の組み合わせに係る主題はオプションで、上記トランシーバは上記ｅＮＢからセル固有の参照信号を受信するようさらに構成されることを含み得る。
【０１５９】
例６９において、例４８〜６８の１または任意の組み合わせに係る主題はオプションで、上記セル固有の参照信号は上記ＭＴＣ領域内のマルチメディアブロードキャスト単一周波数ネットワークサブフレーム内で受信されることを含み得る。
【０１６０】
例７０において、例４８〜６９の１または任意の組み合わせに係る主題はオプションで、上記セル固有の参照信号は、ＭＴＣランダムシードを使用するリソースマッピングパターンを含むことを含み得る。
【０１６１】
例７１において、例４８〜７０の１または任意の組み合わせに係る主題はオプションで、上記トランシーバは上記ｅＮＢからＭＴＣマスタ情報ブロック（Ｍ‐ＭＩＢ）を受信するようさらに構成されることを含み得る。
【０１６２】
例７２において、例４８〜７１の１または任意の組み合わせに係る主題はオプションで、上記Ｍ‐ＭＩＢを受信するために、上記トランシーバは、上記ＭＴＣ領域内のフレームのサブフレーム内で上記Ｍ‐ＭＩＢを受信するようさらに構成されることを含み得る。
【０１６３】
例７３において、例４８〜７２の１または任意の組み合わせに係る主題はオプションで、上記Ｍ‐ＭＩＢは、上記ＵＥの時間および周波数のリソース情報を含むことを含み得る。
【０１６４】
例７４において、例４８〜７３の１または任意の組み合わせに係る主題はオプションで、上記Ｍ‐ＭＩＢを受信するために、上記トランシーバは、ＭＴＣ物理ブロードキャストチャネル（Ｍ‐ＰＢＣＨ）上で上記Ｍ‐ＭＩＢを受信するようさらに構成されることを含み得る。
【０１６５】
例７５において、例４８〜７４の１または任意の組み合わせに係る主題はオプションで、上記トランシーバはサブフレーム内でＭＴＣ物理ブロードキャストチャネル（Ｍ‐ＰＢＣＨ）送信を受信するようさらに構成されることを含み得る。
【０１６６】
例７６において、例４８〜７５の１または任意の組み合わせに係る主題はオプションで、上記サブフレームはプライマリ同期信号およびセカンダリ同期信号（ＰＳＳ／ＳＳＳ）のために使用されないサブフレームを含むことを含み得る。
【０１６７】
例７７において、例４８〜７６の１または任意の組み合わせに係る主題はオプションで、上記トランシーバは、上記ＵＥから、第２のサブフレームを受信するようさらに構成され、上記第２のサブフレームは上記Ｍ‐ＰＢＣＨ送信とは異なる物理ブロードキャストチャネル（ＰＢＣＨ）送信を含むことを含み得る。
【０１６８】
例７８において、例４８〜７７の１または任意の組み合わせに係る主題はオプションで、上記ＰＢＣＨ送信および上記Ｍ‐ＰＢＣＨ送信は、上記サブフレームと上記第２のサブフレームとの間で時分割多重化され、上記ＰＢＣＨ送信および上記Ｍ‐ＰＢＣＨ送信は同一リソースに割り当てられることを含み得る。
【０１６９】
例７９において、例４８〜７８の１または任意の組み合わせに係る主題はオプションで、上記トランシーバは上記サブフレーム内で上記Ｍ‐ＰＢＣＨ送信とは異なる物理ブロードキャストチャネル（ＰＢＣＨ）送信を受信するようさらに構成されることを含み得る。
【０１７０】
例８０において、例４８〜７９の１または任意の組み合わせに係る主題はオプションで、上記ＰＢＣＨ送信および上記Ｍ‐ＰＢＣＨ送信は上記サブフレームと時分割多重化されることを含み得る。
【０１７１】
例８１において、例４８〜８０の１または任意の組み合わせに係る主題はオプションで、上記トランシーバは上記ｅＮＢからＭＴＣ物理制御フォーマットインジケータチャネル（ＰＣＦＩＣＨ）送信を受信するようさらに構成されることを含み得る。
【０１７２】
例８２において、例４８〜８１の１または任意の組み合わせに係る主題はオプションで、上記ＭＴＣ  ＰＣＦＩＣＨ送信を受信するために、上記トランシーバは、ＭＴＣ物理ダウンリンク制御チャネル（Ｍ‐ＰＤＣＣＨ）に割り当てられた直交周波数分割多重（ＯＦＤＭ）シンボルの数およびＭＴＣ物理ダウンリンク共有チャネル（Ｍ‐ＰＤＳＣＨ）送信のための開始シンボルが予め定義されていないことを判断するようさらに構成されることを含み得る。
【０１７３】
例８３において、例４８〜８２の１または任意の組み合わせに係る主題はオプションで、上記トランシーバは上記ｅＮＢから物理ハイブリッド自動再送要求（ＡＲＱ）インジケータチャネルＭ‐ＰＨＩＣＨ送信を受信するようさらに構成されることを含み得る。
【０１７４】
例８４において、例４８〜８３の１または任意の組み合わせに係る主題はオプションで、上記Ｍ‐ＰＨＩＣＨを受信するために、上記トランシーバは上記ｅＮＢからシステム情報ブロック（ＳＩＢ）またはマスタ情報ブロック（ＭＩＢ）内のコンフィギュレーション情報を受信するようさらに構成されることを含み得る。
【０１７５】
例８５において、例４８〜８４の１または任意の組み合わせに係る主題はオプションで、上記Ｍ‐ＰＨＩＣＨを受信するために、上記トランシーバはＭＴＣ物理ダウンリンク制御チャネル（Ｍ‐ＰＤＣＣＨ）が上記Ｍ‐ＰＨＩＣＨ機能に置き換わっていないことを判断するようさらに構成されることを含み得る。
【０１７６】
例８６において、例４８〜８５の１または任意の組み合わせに係る主題はオプションで、上記トランシーバは上記ｅＮＢから上記ＭＴＣ領域内でＭＴＣ物理ダウンリンク制御チャネル（Ｍ‐ＰＤＣＣＨ）送信を受信するようさらに構成されることを含み得る。
【０１７７】
例８７において、例４８〜８６の１または任意の組み合わせに係る主題はオプションで、上記Ｍ‐ＰＤＣＣＨは既存の拡張型物理ダウンリンク制御チャネル（ＥＰＤＣＣＨ）を含むことを含み得る。
【０１７８】
例８８において、例４８〜８７の１または任意の組み合わせに係る主題はオプションで、上記トランシーバはＭＴＣ物理ランダムアクセスチャネル（Ｍ‐ＰＲＡＣＨ）送信を送信するようさらに構成されることを含み得る。
【０１７９】
例８９において、例４８〜８８の１または任意の組み合わせに係る主題はオプションで、上記Ｍ‐ＰＲＡＣＨ送信は、上記ＭＴＣ領域内でＭＴＣ物理アップリンク制御チャネル（Ｍ‐ＰＵＣＣＨ）送信およびＭＴＣ物理アップリンク共有チャネル（Ｍ−ＰＵＳＣＨ）送信と時分割多重化されることを含み得る。
【０１８０】
例９０において、例４８〜８９の１または任意の組み合わせに係る主題はオプションで、上記ＭＴＣ領域内で上記Ｍ‐ＰＵＣＣＨ送信および上記Ｍ−ＰＵＳＣＨ送信は周波数分割多重化されることを含んでよい。
【０１８１】
例９１は、無線スペクトルのマシンタイプ通信（ＭＴＣ）ＭＴＣ領域で動作するよう構成されたユーザ機器（ＵＥ）によって具現化される主題を含み、上記ユーザ機器はトランシーバを備え、上記トランシーバは、ライセンスされた帯域上で、進化型ノードＢ（ｅＮＢ）から、物理ダウンリンク制御チャネル（ＰＤＣＣＨ）送信を受信し、上記ｅＮＢから、ＭＴＣマスタ情報ブロック（Ｍ‐ＭＩＢ）を受信し、上記Ｍ‐ＭＩＢは上記ＭＴＣ領域を構成するためのコンフィギュレーション情報を含み、ダウンリンクにおいて、上記ＭＴＣ領域上で第１のデータ送信を受信し、上記ＭＴＣ領域は上記ライセンスされた帯域の周波数のサブセットを含み、アップリンクにおいて、上記ＭＴＣ領域上で第２のデータ送信を送信するよう構成される。
【０１８２】
例９２において、例９１の主題はオプションで、上記トランシーバは上記ｅＮＢからＭＴＣシステム情報ブロック（Ｍ‐ＳＩＢ）を受信するようさらに構成されることを含み得る。
【０１８３】
例９３において、例９１〜９２の１または任意の組み合わせに係る主題はオプションで、上記Ｍ‐ＳＩＢを受信するために、上記トランシーバは、上記ＭＴＣ領域内のフレームのサブフレーム内で上記Ｍ‐ＳＩＢを受信するようさらに構成されることを含み得る。
【０１８４】
例９４において、例９１〜９３の１または任意の組み合わせに係る主題はオプションで、上記Ｍ‐ＳＩＢは上記ＵＥの時間および周波数のリソース情報を含むことを含み得る。
【０１８５】
例９５は、進化型ノードＢ（ｅＮＢ）の回路によって行われる通信のためのユーザ機器（ＵＥ）を構成するための方法によって具現化される主題を含み、上記方法はライセンスされた帯域上で上記ｅＮＢから、物理ダウンリンク制御チャネル（ＰＤＣＣＨ）送信をブロードキャストする段階と、上記ｅＮＢから上記ＵＥへ、マシンタイプ通信（ＭＴＣ）ＰＢＣＨ（Ｍ‐ＰＢＣＨ送信）送信と多重化された物理ブロードキャストチャネル（ＰＢＣＨ）送信を送信する段階であって、上記Ｍ‐ＰＢＣＨ送信は、ＭＴＣシステム情報ブロック（Ｍ‐ＳＩＢ）を含み、上記Ｍ‐ＳＩＢは上記ライセンスされた帯域のＭＴＣ領域を構成するためのコンフィギュレーション情報を含み、上記ＭＴＣ領域は上記ライセンスされた帯域の周波数サブセットを含む、送信する段階と、上記ｅＮＢから上記ＵＥへ、ダウンリンクにおいて上記ＭＴＣ領域上で第１のデータ送信を送信する段階と、を備える。
【０１８６】
例９６において、例９５の主題はオプションで上記ＵＥからアップリンクにおいて上記ＭＴＣ領域上で第２のデータ送信を受信する段階をさらに備えることを含み得る。
【０１８７】
例９７において、例９５〜９６の１または任意の組み合わせに係る主題はオプションで、上記第２のデータ送信を受信する段階は、物理アップリンク制御チャネル（ＰＵＣＣＨ）または物理ランダムアクセスチャネル（ＰＲＡＣＨ）上の複数の送信と周波数分割で多重化された上記第２のデータ送信を受信する段階を含むことを含み得る。
【０１８８】
例９８において、例９５〜９７の１または任意の組み合わせに係る主題はオプションで、上記第２のデータ送信を受信する段階は、スロット内ホッピング周波数送信で上記第２のデータ送信を受信する段階を含むことを含み得る。
【０１８９】
例９９において、例９５〜９８の１または任意の組み合わせに係る主題はオプションで、上記第１のデータ送信および第３のデータ送信を時分割で多重化する段階をさらに備えることを含み得る。
【０１９０】
例１００において、例９５〜９９の１または任意の組み合わせに係る主題はオプションで、上記第１のデータ送信および第３の送信を周波数分割で多重化する段階をさらに備えることを含み得る。
【０１９１】
例１０１において、例９５〜１００の１または任意の組み合わせに係る主題はオプションで、上記第１のデータ送信を送信する段階は、スロット内ホッピングを使用して上記第１のデータ送信を送信する段階を含むことを含み得る。
【０１９２】
例１０２において、例９５〜１０１の１または任意の組み合わせに係る主題はオプションで、上記スロット内ホッピング周波数送信は固定のホッピングパターンを含むことを含み得る。
【０１９３】
例１０３において、例９５〜１０２の１または任意の組み合わせに係る主題はオプションで、上記固定のホッピングパターンは物理セル識別に関する情報を含むことを含み得る。
【０１９４】
例１０４において、例９５〜１０３の１または任意の組み合わせに係る主題はオプションで、上記固定のホッピングパターンはサブフレームインデックスに関する情報を含むことを含み得る。
【０１９５】
例１０５において、例９５〜１０４の１または任意の組み合わせに係る主題はオプションで、上記ＭＴＣ領域は予め定義されることを含み得る。
【０１９６】
例１０６において、例９５〜１０５の１または任意の組み合わせに係る主題はオプションで、上記ＳＩＢは上記ＵＥの時間および周波数のリソース情報を含むことを含み得る。
【０１９７】
例１０７において、例９５〜１０６の１または任意の組み合わせに係る主題はオプションで、上記ＵＥに、アップリンクＭＴＣ領域およびダウンリンクＭＴＣ領域のための複数の別箇のシグナリングコンフィギュレーションを送信する段階をさらに備えることを含み得る。
【０１９８】
例１０８において、例９５〜１０７の１または任意の組み合わせに係る主題はオプションで、上記ＵＥに、アップリンクＭＴＣ領域およびダウンリンクＭＴＣ領域のための共同シグナリングコンフィギュレーションを送信する段階をさらに備えることを含み得る。
【０１９９】
例１０９において、例９５〜１０８の１または任意の組み合わせに係る主題はオプションで、上記ＵＥにプライマリ同期信号およびセカンダリ同期信号（ＰＳＳ／ＳＳＳ）を送信する段階をさらに備えることを含み得る。
【０２００】
例１１０において、例９５〜１０９の１または任意の組み合わせに係る主題はオプションで、リソース要素を上記ＭＴＣ領域内で上記ＰＳＳ／ＳＳＳの周囲でマッピングするようレートマッチングする段階をさらに備えることを含み得る。
【０２０１】
例１１１において、例９５〜１１０の１または任意の組み合わせに係る主題はオプションで、上記ＵＥに、チャネル状態情報参照信号（ＣＳＩ‐ＲＳ）を送信する段階をさらに備えることを含み得る。
【０２０２】
例１１２において、例９５〜１１１の１または任意の組み合わせに係る主題はオプションで、リソース要素を上記ＭＴＣ領域内で上記ＣＳＩ／ＲＳの周囲でマッピングするようレートマッチングする段階をさらに備えることを含み得る。
【０２０３】
例１１３において、例９５〜１１２の１または任意の組み合わせに係る主題はオプションで、上記ＭＴＣ領域内で上記ＣＳＩ‐ＲＳと複数の送信との間の複数の競合を回避する段階をさらに備えることを含み得る。
【０２０４】
例１１４において、例９５〜１１３の１または任意の組み合わせに係る主題はオプションで、上記ＵＥにセル固有の参照信号を送信する段階をさらに備えることを含み得る。
【０２０５】
例１１５において、例９５〜１１４の１または任意の組み合わせに係る主題はオプションで、上記セル固有の参照信号は上記ＭＴＣ領域内のマルチメディアブロードキャスト単一周波数ネットワークサブフレーム内で送信されることを含み得る。
【０２０６】
例１１６において、例９５〜１１５の１または任意の組み合わせに係る主題はオプションで、上記セル固有の参照信号は、ＭＴＣランダムシードを使用するリソースマッピングパターンを含むことを含み得る。
【０２０７】
例１１７において、例９５〜１１６の１または任意の組み合わせに係る主題はオプションで、上記ＵＥにＭＴＣマスタ情報ブロック（Ｍ‐ＭＩＢ）を送信する段階をさらに備えることを含み得る。
【０２０８】
例１１８において、例９５〜１１７の１または任意の組み合わせに係る主題はオプションで、上記Ｍ‐ＭＩＢを送信する段階は、上記ＭＴＣ領域内のフレームのサブフレーム内で上記Ｍ‐ＭＩＢを送信する段階をさらに備えることを含み得る。
【０２０９】
例１１９において、例９５〜１１８の１または任意の組み合わせに係る主題はオプションで、上記Ｍ‐ＭＩＢは上記ＵＥの時間および周波数のリソース情報を含むことを含み得る。
【０２１０】
例１２０において、例９５〜１１９の１または任意の組み合わせに係る主題はオプションで、上記Ｍ‐ＭＩＢを送信する段階は、ＭＴＣ物理ブロードキャストチャネル（Ｍ‐ＰＢＣＨ）上で上記Ｍ‐ＭＩＢを送信する段階を含むことを含み得る。
【０２１１】
例１２１において、例９５〜１２０の１または任意の組み合わせに係る主題はオプションで、上記Ｍ‐ＰＢＣＨを送信する段階は、サブフレーム内で上記Ｍ‐ＰＢＣＨを送信する段階を含むことを含み得る。
【０２１２】
例１２２において、例９５〜１２１の１または任意の組み合わせに係る主題はオプションで、上記サブフレームはプライマリ同期信号およびセカンダリ同期信号（ＰＳＳ／ＳＳＳ）に使用されないサブフレームを含むことを含み得る。
【０２１３】
例１２３において、例９５〜１２２の１または任意の組み合わせに係る主題はオプションで、上記ＵＥに、第２のサブフレームを送信する段階をさらに備え、上記第２のサブフレームは、上記Ｍ‐ＰＢＣＨ送信とは異なる物理ブロードキャストチャネル（ＰＢＣＨ）送信を含むことを含み得る。
【０２１４】
例１２４において、例９５〜１２３の１または任意の組み合わせに係る主題はオプションで、上記ＰＢＣＨ送信および上記Ｍ‐ＰＢＣＨ送信は上記サブフレームと上記第２のサブフレームとの間で時分割多重化され、上記ＰＢＣＨ送信および上記Ｍ‐ＰＢＣＨ送信は同一リソースに割り当てられることを含み得る。
【０２１５】
例１２５において、例９５〜１２４の１または任意の組み合わせに係る主題はオプションで、上記サブフレーム内の上記Ｍ‐ＰＢＣＨとは異なる物理ブロードキャストチャネル（ＰＢＣＨ）送信を送信する段階をさらに備えることを含み得る。
【０２１６】
例１２６において、例９５〜１２５の１または任意の組み合わせに係る主題はオプションで、上記ＰＢＣＨ送信および上記Ｍ‐ＰＢＣＨ送信は上記サブフレームと時分割多重化されることを含み得る。
【０２１７】
例１２７において、例９５〜１２６の１または任意の組み合わせに係る主題はオプションで、上記ＵＥにＭＴＣ物理制御フォーマットインジケータチャネル（ＰＣＦＩＣＨ）送信を送信する段階をさらに備えることを含み得る。
【０２１８】
例１２８において、例９５〜１２７の１または任意の組み合わせに係る主題はオプションで、上記ＭＴＣ  ＰＣＦＩＣＨ送信を送信する段階は、上記ＭＴＣ物理ダウンリンク制御チャネル（Ｍ‐ＰＤＣＣＨ）に割り当てられた直交周波数分割多重（ＯＦＤＭ）シンボルの数およびＭＴＣ物理ダウンリンク共有チャネル（Ｍ‐ＰＤＳＣＨ）送信のための開始シンボルが予め定義されていないことを判断する段階を含むことを含み得る。
【０２１９】
例１２９において、例９５〜１２８の１または任意の組み合わせに係る主題はオプションで、上記ＵＥに物理ハイブリッド自動再送要求（ＡＲＱ）インジケータチャネルＭ‐ＰＨＩＣＨ送信を送信する段階をさらに備えることを含み得る。
【０２２０】
例１３０において、例９５〜１２９の１または任意の組み合わせに係る主題はオプションで、上記Ｍ‐ＰＨＩＣＨを送信する段階は、上記ＵＥに、システム情報ブロック（ＳＩＢ）またはマスタ情報ブロック（ＭＩＢ）内のコンフィギュレーション情報を送信する段階を含むことを含み得る。
【０２２１】
例１３１において、例９５〜１３０の１または任意の組み合わせに係る主題はオプションで、上記Ｍ‐ＰＨＩＣＨを送信する段階はＭＴＣ物理ダウンリンク制御チャネル（Ｍ‐ＰＤＣＣＨ）が上記Ｍ‐ＰＨＩＣＨ機能に置き換わっていないことを判断する段階を含むことを含み得る。
【０２２２】
例１３２において、例９５〜１３１の１または任意の組み合わせに係る主題はオプションで、上記ＵＥに上記ＭＴＣ領域内でＭＴＣ物理ダウンリンク制御チャネル（Ｍ‐ＰＤＣＣＨ）送信を送信する段階をさらに含むことを含み得る。
【０２２３】
例１３３において、例９５〜１３２の１または任意の組み合わせに係る主題はオプションで、上記Ｍ‐ＰＤＣＣＨは既存の拡張型物理ダウンリンク制御チャネル（ＥＰＤＣＣＨ）を含むことを含み得る。
【０２２４】
例１３４において、例９５〜１３３の１または任意の組み合わせに係る主題はオプションで、上記ＵＥからＭＴＣ物理ランダムアクセスチャネル（Ｍ‐ＰＲＡＣＨ）送信を受信する段階をさらに備えることを含み得る。
【０２２５】
例１３５において、例９５〜１３４の１または任意の組み合わせに係る主題はオプションで、上記Ｍ‐ＰＲＡＣＨ送信は、上記ＭＴＣ領域内でＭＴＣ物理アップリンク制御チャネル（Ｍ‐ＰＵＣＣＨ）送信およびＭＴＣ物理アップリンク共有チャネル（Ｍ−ＰＵＳＣＨ）送信と時分割多重化されることを含んでよい。
【０２２６】
例１３６において、例９５〜１３５の１または任意の組み合わせに係る主題はオプションで、上記Ｍ‐ＰＵＣＣＨ送信および上記Ｍ−ＰＵＳＣＨ送信は上記ＭＴＣ領域内で周波数分割多重化されることを含み得る。
【０２２７】
例１３７は、例９５〜１３６のいずれかに係る方法を実行するための手段を備える装置を含む。
【０２２８】
例１３８は、コンピュータシステムの動作のための複数の命令を含む少なくとも１つのマシン可読媒体であって、上記複数の命令は、上記マシンによる実行時、上記マシンに対し、例９５から１３６のいずれかに記載の方法を実行させる、少なくとも１つのマシン可読媒体を含む。
【０２２９】
例１３９は、通信のためのユーザ機器（ＵＥ）を構成するための装置によって具現化される主題を含み、上記装置はライセンスされた帯域上で進化型ノードＢ（ｅＮＢ）から、物理ダウンリンク制御チャネル（ＰＤＣＣＨ）送信をブロードキャストするための手段と、上記ｅＮＢから上記ＵＥへ、マシンタイプ通信（ＭＴＣ）ＰＢＣＨ（Ｍ‐ＰＢＣＨ）送信と多重化された物理ブロードキャストチャネル（ＰＢＣＨ）送信を送信するための手段であって、上記Ｍ‐ＰＢＣＨ送信は、ＭＴＣシステム情報ブロック（Ｍ‐ＳＩＢ）を含み、上記Ｍ‐ＳＩＢは上記ライセンスされた帯域のＭＴＣ領域を構成するためのコンフィギュレーション情報を含み、上記ＭＴＣ領域は上記ライセンスされた帯域の周波数サブセットを含む、送信するための手段と、上記ｅＮＢから上記ＵＥへ、ダウンリンクにおいて上記ＭＴＣ領域上で第１のデータ送信を送信するための手段と、を備える。
【０２３０】
例１４０は、コンピューティングシステムの動作のための複数の命令を含む少なくとも１つのマシン可読媒体によって具現化される主題を含み、上記命令はマシンによる実行時、上記マシンに対し、ライセンスされた帯域上で進化型ノードＢ（ｅＮＢ）から、物理ダウンリンク制御チャネル（ＰＤＣＣＨ）送信をブロードキャストさせ、上記ｅＮＢから上記ＵＥへ、マシンタイプ通信（ＭＴＣ）ＰＢＣＨ（Ｍ‐ＰＢＣＨ）送信と多重化された物理ブロードキャストチャネル（ＰＢＣＨ）送信を送信させ、上記Ｍ‐ＰＢＣＨ送信は、ＭＴＣシステム情報ブロック（Ｍ‐ＳＩＢ）を含み、上記Ｍ‐ＳＩＢは上記ライセンスされた帯域のＭＴＣ領域を構成するためのコンフィギュレーション情報を含み、上記ＭＴＣ領域は上記ライセンスされた帯域の周波数サブセットを含み、上記ｅＮＢから上記ＵＥへ、ダウンリンクにおいて上記ＭＴＣ領域上で第１のデータ送信を送信させる。
【０２３１】
例１４１は無線スペクトルのＭＴＣ領域上で動作するユーザ機器（ＵＥ）を構成するための方法によって具現化される主題を含み、上記方法は、ライセンスされた帯域上で上記ＵＥにおいて、進化型ノードＢ（ｅＮＢ）から物理ダウンリンク制御チャネル（ＰＤＣＣＨ）送信を受信する段階と、上記ＵＥにおいて上記ｅＮＢから上記ＭＴＣ領域上でＭＴＣシステム情報ブロック（Ｍ‐ＳＩＢ）含むマシンタイプ通信（ＭＴＣ）物理ブロードキャストチャネル（Ｍ‐ＰＢＣＨ）送信を受信する段階と、上記ＵＥからアップリンクにおいて上記ＭＴＣ領域上でデータ送信を送信する段階であって、上記ＭＴＣ領域は上記ライセンスされた帯域の周波数のサブセットを含む、送信する段階と、を備える。
【０２３２】
例１４２において、例１４０の主題はオプションで、上記データ送信を送信する段階は、第２のデータ送信と多重化された上記データ送信を送信する段階を含むことを含み得る。
【０２３３】
例１４３において、例１４１〜１４２の１または任意の組み合わせに係る主題はオプションで、上記データ送信および上記第２のデータ送信は時分割で多重化されることを含み得る。
【０２３４】
例１４４において、例１４１〜１４３の１または任意の組み合わせに係る主題はオプションで、上記データ送信および上記第２のデータ送信は周波数分割で多重化されることを含み得る。
【０２３５】
例１４５において、例１４１〜１４４の１または任意の組み合わせに係る主題はオプションで、上記データ送信を送信する段階は、スロット内ホッピングを使用して上記データ送信を送信する段階を含むことを含み得る。
【０２３６】
例１４６において、例１４１〜１４５の１または任意の組み合わせに係る主題はオプションで、上記ｅＮＢからダウンリンクにおいて上記ＭＴＣ領域上で第３のデータ送信を受信する段階をさらに備えることを含み得る。
【０２３７】
例１４７において、例１４１〜１４６の１または任意の組み合わせに係る主題はオプションで、上記第３のデータ送信を受信する段階は、スロット内ホッピング周波数送信で上記第３のデータ送信を受信する段階を含むことを含み得る。
【０２３８】
例１４８において、例１４１〜１４７の１または任意の組み合わせに係る主題はオプションで、上記スロット内ホッピング周波数送信は固定のホッピングパターンを含むことを含み得る。
【０２３９】
例１４９において、例１４１〜１４８の１または任意の組み合わせに係る主題はオプションで、上記固定のホッピングパターンは物理セル識別に関する情報を含むことを含み得る。
【０２４０】
例１５０において、例１４１〜１４９の１または任意の組み合わせに係る主題はオプションで、上記固定のホッピングパターンはサブフレームインデックスに関する情報を含むことを含み得る。
【０２４１】
例１５１において、例１４１〜１５０の１または任意の組み合わせに係る主題はオプションで、上記ＭＴＣ領域は予め定義されることを含み得る。
【０２４２】
例１５２において、例１４１〜１５１の１または任意の組み合わせに係る主題はオプションで、上記ＳＩＢは上記ＵＥの時間および周波数のリソース情報を含むことを含み得る。
【０２４３】
例１５３において、例１４１〜１５２の１または任意の組み合わせに係る主題はオプションで、上記ｅＮＢから、アップリンクＭＴＣ領域およびダウンリンクＭＴＣ領域のための複数の別箇のシグナリングコンフィギュレーションを受信する段階をさらに備えることを含み得る。
【０２４４】
例１５４において、例１４１〜１５３の１または任意の組み合わせに係る主題はオプションで、上記ｅＮＢから、アップリンクＭＴＣ領域およびダウンリンクＭＴＣ領域のための共同シグナリングコンフィギュレーションを受信する段階をさらに備えることを含み得る。
【０２４５】
例１５５において、例１４１〜１５４の１または任意の組み合わせに係る主題はオプションで、上記ｅＮＢからプライマリ同期信号およびセカンダリ同期信号（ＰＳＳ／ＳＳＳ）を受信する段階をさらに備えることを含み得る。
【０２４６】
例１５６において、例１４１〜１５５の１または任意の組み合わせに係る主題はオプションで、リソース要素を上記ＭＴＣ領域内で上記ＰＳＳ／ＳＳＳの周囲でマッピングするようレートマッチングする段階をさらに備えることを含み得る。
【０２４７】
例１５７において、例１４１〜１５６の１または任意の組み合わせに係る主題はオプションで、上記ｅＮＢから、チャネル状態情報参照信号（ＣＳＩ‐ＲＳ）を受信する段階をさらに備えることを含み得る。
【０２４８】
例１５８において、例１４１〜１５７の１または任意の組み合わせに係る主題はオプションで、リソース要素を上記ＭＴＣ領域内で上記ＣＳＩ／ＲＳの周囲でマッピングするようレートマッチングする段階をさらに備えることを含み得る。
【０２４９】
例１５９において、例１４１〜１５８の１または任意の組み合わせに係る主題はオプションで、上記ＭＴＣ領域内で上記ＣＳＩ‐ＲＳと複数の送信との間の複数の競合を回避する段階をさらに備えることを含み得る。
【０２５０】
例１６０において、例１４１〜１５９の１または任意の組み合わせに係る主題はオプションで、上記ｅＮＢからセル固有の参照信号を受信する段階をさらに備えることを含み得る。
【０２５１】
例１６１において、例１４１〜１６０の１または任意の組み合わせに係る主題はオプションで、上記セル固有の参照信号は上記ＭＴＣ領域内のマルチメディアブロードキャスト単一周波数ネットワークサブフレーム内で受信されることを含み得る。
【０２５２】
例１６２において、例１４１〜１６１の１または任意の組み合わせに係る主題はオプションで、上記セル固有の参照信号は、ＭＴＣランダムシードを使用するリソースマッピングパターンを含むことを含み得る。
【０２５３】
例１６３において、例１４１〜１６２の１または任意の組み合わせに係る主題はオプションで、上記ｅＮＢからＭＴＣマスタ情報ブロック（Ｍ‐ＭＩＢ）を受信する段階をさらに備えることを含み得る。
【０２５４】
例１６４において、例１４１〜１６３の１または任意の組み合わせに係る主題はオプションで、上記Ｍ‐ＭＩＢを受信する段階は、上記ＭＴＣ領域内のフレームのサブフレーム内で上記Ｍ‐ＭＩＢを受信する段階をさらに備えることを含み得る。
【０２５５】
例１６５において、例１４１〜１６４の１または任意の組み合わせに係る主題はオプションで、上記Ｍ‐ＭＩＢは上記ＵＥの時間および周波数のリソース情報を含むことを含み得る。
【０２５６】
例１６６において、例１４１〜１６５の１または任意の組み合わせに係る主題はオプションで、上記Ｍ‐ＭＩＢを受信する段階は、ＭＴＣ物理ブロードキャストチャネル（Ｍ‐ＰＢＣＨ）上で上記Ｍ‐ＭＩＢを受信する段階を含むことを含み得る。
【０２５７】
例１６７において、例１４１〜１６６の１または任意の組み合わせに係る主題はオプションで、上記Ｍ‐ＰＢＣＨを受信する段階は、サブフレーム内で上記Ｍ‐ＰＢＣＨを受信する段階を含むことを含み得る。
【０２５８】
例１６８において、例１４１〜１６７の１または任意の組み合わせに係る主題はオプションで、上記サブフレームはプライマリ同期信号およびセカンダリ同期信号（ＰＳＳ／ＳＳＳ）に使用されないサブフレームを含むことを含み得る。
【０２５９】
例１６９において、例１４１〜１６８の１または任意の組み合わせに係る主題はオプションで、上記ＵＥから、第２のサブフレームを受信する段階をさらに備え、上記第２のサブフレームは、上記Ｍ‐ＰＢＣＨ送信とは異なる物理ブロードキャストチャネル（ＰＢＣＨ）送信を含むことを含み得る。
【０２６０】
例１７０において、例１４１〜１６９の１または任意の組み合わせに係る主題はオプションで、上記ＰＢＣＨ送信および上記Ｍ‐ＰＢＣＨ送信は上記サブフレームと上記第２のサブフレームとの間で時分割多重化され、上記ＰＢＣＨ送信および上記Ｍ‐ＰＢＣＨ送信は同一リソースに割り当てられることを含み得る。
【０２６１】
例１７１において、例１４１〜１７０の１または任意の組み合わせに係る主題はオプションで、上記サブフレーム内の上記Ｍ‐ＰＢＣＨとは異なる物理ブロードキャストチャネル（ＰＢＣＨ）送信を受信する段階をさらに備えることを含み得る。
【０２６２】
例１７２において、例１４１〜１７１の１または任意の組み合わせに係る主題はオプションで、上記ＰＢＣＨ送信および上記Ｍ‐ＰＢＣＨ送信は上記サブフレーム内で時分割多重化されることを含み得る。
【０２６３】
例１７３において、例１４１〜１７２の１または任意の組み合わせに係る主題はオプションで、上記ｅＮＢからＭＴＣ物理制御フォーマットインジケータチャネル（ＰＣＦＩＣＨ）送信を受信する段階をさらに備えることを含み得る。
【０２６４】
例１７４において、例１４１〜１７３の１または任意の組み合わせに係る主題はオプションで、上記ＭＴＣ  ＰＣＦＩＣＨ送信を受信する段階は、上記ＭＴＣ物理ダウンリンク制御チャネル（Ｍ‐ＰＤＣＣＨ）に割り当てられた直交周波数分割多重（ＯＦＤＭ）シンボルの数およびＭＴＣ物理ダウンリンク共有チャネル（Ｍ‐ＰＤＳＣＨ）送信のための開始シンボルが予め定義されていないことを判断する段階を含むことを含み得る。
【０２６５】
例１７５において、例１４１〜１７４の１または任意の組み合わせに係る主題はオプションで、上記ｅＮＢから物理ハイブリッド自動再送要求（ＡＲＱ）インジケータチャネルＭ‐ＰＨＩＣＨ送信を受信する段階をさらに備えることを含み得る。
【０２６６】
例１７６において、例１４１〜１７５の１または任意の組み合わせに係る主題はオプションで、上記Ｍ‐ＰＨＩＣＨを受信する段階は、上記ｅＮＢから、システム情報ブロック（ＳＩＢ）またはマスタ情報ブロック（ＭＩＢ）内のコンフィギュレーション情報を受信する段階を含むことを含み得る。
【０２６７】
例１７７において、例１４１〜１７６の１または任意の組み合わせに係る主題はオプションで、上記Ｍ‐ＰＨＩＣＨを受信する段階はＭＴＣ物理ダウンリンク制御チャネル（Ｍ‐ＰＤＣＣＨ）が上記Ｍ‐ＰＨＩＣＨ機能に置き換わっていないことを判断する段階を含むことを含み得る。
【０２６８】
例１７８において、例１４１〜１７７の１または任意の組み合わせに係る主題はオプションで、上記ｅＮＢから上記ＭＴＣ領域内でＭＴＣ物理ダウンリンク制御チャネル（Ｍ‐ＰＤＣＣＨ）送信を受信する段階をさらに含むことを含み得る。
【０２６９】
例１７９において、例１４１〜１７８の１または任意の組み合わせに係る主題はオプションで、上記Ｍ‐ＰＤＣＣＨは既存の拡張型物理ダウンリンク制御チャネル（ＥＰＤＣＣＨ）を含むことを含み得る。
【０２７０】
例１８０において、例１４１〜１７９の１または任意の組み合わせに係る主題はオプションで、ＭＴＣ物理ランダムアクセスチャネル（Ｍ‐ＰＲＡＣＨ）送信を送信する段階をさらに備えることを含み得る。 
【０２７１】
例１８１において、例１４１〜１８０の１または任意の組み合わせに係る主題はオプションで、上記Ｍ‐ＰＲＡＣＨ送信は、上記ＭＴＣ領域内でＭＴＣ物理アップリンク制御チャネル（Ｍ‐ＰＵＣＣＨ）送信およびＭＴＣ物理アップリンク共有チャネル（Ｍ−ＰＵＳＣＨ）送信と時分割多重化されることを含んでよい。
【０２７２】
例１８２において、例１４１〜１８１の１または任意の組み合わせに係る主題はオプションで、上記Ｍ‐ＰＵＣＣＨ送信および上記Ｍ−ＰＵＳＣＨ送信は上記ＭＴＣ領域内で周波数分割多重化されることを含み得る。
【０２７３】
例１８３は、例１４１〜１８２のいずれかに係る方法を実行するための手段を備える装置を含む。 
【０２７４】
例１８４はコンピュータシステムの動作のための複数の命令を含む少なくとも１つのマシン可読媒体であって、上記複数の命令は、上記マシンによる実行時、上記マシンに対し、例１４１から１８２のいずれかに記載の方法を実行させる、少なくとも１つのマシン可読媒体を含む。
【０２７５】
例１８５はコンピューティングシステムの動作のための複数の命令を含む少なくとも１つのマシン可読媒体によって具現化される主題を含み、上記命令はマシンによる実行時、上記マシンに対し、ライセンスされた帯域上でユーザ機器（ＵＥ）において、進化型ノードＢ（ｅＮＢ）から、物理ダウンリンク制御チャネル（ＰＤＣＣＨ）送信を受信させ、上記ＵＥにおいて、上記ｅＮＢからマシンタイプ通信（ＭＴＣ）物理ブロードキャストチャネル（Ｍ‐ＰＢＣＨ）送信を受信させ、上記Ｍ‐ＰＢＣＨ送信は、ＭＴＣシステム情報ブロック（Ｍ‐ＳＩＢ）を含み、上記ＳＩＢは上記ライセンスされた帯域のＭＴＣ領域を構成するためのコンフィギュレーション情報を含み、上記ＭＴＣ領域は上記ライセンスされた帯域の周波数サブセットを含み、上記ＵＥから、アップリンクにおいて上記ＭＴＣ領域上でデータ送信を送信させる。
【０２７６】
例１８６において、例１８５の主題はオプションで、上記データ送信を受信する複数の動作は、スロット内ホッピングを使用してデータ送信を受信するための複数の動作を含むことを含み得る。
【０２７７】
上記の詳細な説明は、詳細な説明の一部を形成する添付図面への参照を含む。図面は、特定の実施形態を例示として示すものである。これらの実施形態は、本明細書において例としても呼ばれることがある。そのような例は、図示または記載された要素に追加される複数の要素を含んでよい。しかしながら、発明者らは図示または記載された要素のみが提供される複数の例も想定している。さらに、発明者らは、特定の一例（またはそれらの１または複数の態様）または図示または記載される他の複数の例（またはそれらの１または複数の態様）のいずれかに関し、図示または記載される複数の要素（またはそれらの１または複数の態様）の任意の組み合わせまたは並べ替えを使用する複数の例も想定している。
【０２７８】
本明細書と参照により組み込まれる任意の文書との間での一貫性のない用法の場合、本明細書での用法により規定される。
【０２７９】
本明細書において、用語「ある（ａ）」または「ある（ａｎ）」は、特許文献で共通の通り使用され、「少なくとも１つ」または「１または複数」に係る任意の他の例若しくは用法とは別に、１つまたは１つより多いものを含む。本明細書において、用語「または」は、別途の指示がない限り、非排他的なものを指し、すなわち「ＡまたはＢ」は「ＢではなくＡ」、「ＡではなくＢ」、および「ＡおよびＢ」を含む。本明細書において、用語「含む（ｉｎｃｌｕｄｉｎｇ）」および「そこに（ｉｎ  ｗｈｉｃｈ）」は、それぞれ「含む（ｃｏｍｐｒｉｓｉｎｇ）」および「そこに（ｗｈｅｒｅｉｎ）」という用語の平易な英語の同義語として用いられる。また、以下の特許請求の範囲において、用語「含む（ｉｎｃｌｕｄｉｎｇ）」および「備える（ｃｏｍｐｒｉｓｉｎｇ）」はオープンエンド（ｏｐｅｎ‐ｅｎｄｅｄ）型であり、つまり、請求項中、当該用語の後の列挙要素に加え、複数の要素を含むシステム、デバイス、物品、組成、製法、またはプロセスがさらに当該請求項の範囲に属するとみなされる。さらに、以下の特許請求の範囲において、用語「第１の」、「第２の」および「第３の」等は単にラベルとして使用されており、それらの対象物への数的要件を課すことを意図しない。
【０２８０】
本明細書に記載の方法の例示は、少なくとも部分的にマシンまたはコンピュータで実装されるものであってよい。いくつかの例は、上記の例に記載された複数の方法を実行させるべく、電子デバイスを構成するよう動作可能な複数の命令でエンコードされたコンピュータ可読媒体またはマシン可読媒体を含んでよい。そのような方法の実装としては、マイクロコード、アセンブリ言語コード、高水準の言語コード等のコードが含まれてよい。そのようなコードは、様々な方法を実行するための複数のコンピュータ可読命令を含んでよい。コードは、コンピュータプログラム製品の一部を形成してよい。さらに、一例において、コードは、実行中若しくはその他の時点において等、１または複数の揮発性、非一時的、または不揮発性の有形のコンピュータ可読媒体上に具体的に格納されてよい。これら有形のコンピュータ可読媒体の例としては限定ではないが、ハードディスク、リムーバブル磁気ディスク、リムーバブル光学ディスク（例えば、コンパクトディスクおよびデジタルビデオディスク）、磁気カセット、メモリカードまたはスティック、ランダムアクセスメモリ（ＲＡＭ）、リードオンリメモリ（ＲＯＭ）等が含まれてよい。
【０２８１】
上記の説明は例示的なものを意図しており、限定的なものを意図していない。例えば、上記の複数の例（またはそれらの１または複数の態様）は、互いの組み合わせにおいて使用されてよい。当業者等が上記記載を読むと、他の複数の実施形態が使用可能である。要約書は、米国連邦規則法典第３７巻§１．７２（ｂ）に従って記載されており、読み手が技術的開示の内容を迅速に把握できるようにするものである。要約書は、特許請求の範囲に係るその範囲または意味について解釈または制限するために使用されないという理解に基づいて提示されている。また、上記詳細な説明においては、開示を簡素化すべく、様々な特徴が共にグループ化されることがある。このことは、開示された特許請求されていない特徴がいずれかの請求項において不可欠であることを意図するものとして解釈されるべきではない。そうではなく、発明の主題は、特定の開示された実施形態のすべての特徴部より少ないものに存在し得る。故に、以下の特許請求の範囲は詳細な説明の中に例または実施形態として組み込まれ、各請求項は、別箇の実施形態として独立しており、そのような実施形態は様々な組み合わせまたは並べ替えにおいて互いに組み合わされてよいと理解される。
【図１】
0006455739.tif 000008
【図２】
0006455739.tif 000009
【図３Ａ】
0006455739.tif 000010
【図３Ｂ】
0006455739.tif 000011
【図４Ａ】
0006455739.tif 000012
【図４Ｂ】
0006455739.tif 000013
【図５】
0006455739.tif 000014
【図６】
0006455739.tif 000015
【図７】
0006455739.tif 000016
【図８】
0006455739.tif 000017
【図９】
0006455739.tif 000018
【図１０Ａ】
0006455739.tif 000019
【図１０Ｂ】
0006455739.tif 000020
【図１１】
0006455739.tif 000021
【図１２】
0006455739.tif 000022
【図１３】
0006455739.tif 000023